(57)【要約】【課題】動画データと静止画データを関連付ける関連情報を利用することにより、消去候補となる動画データまたは静止画データを選別し、データ消去に関するユーザビリティを高めることが可能【解決手段】複数の動画データおよび静止画データを記憶するデータ記憶部と、前記データ記憶部から所定の動画データおよび静止画データを読み出すデータ読出部と、前記動画データおよび前記静止画データを関連付ける関連情報に基づいて、前記データ読出部によって順次読み出される複数の前記動画データおよび前記静止画データの中から消去候補となる動画データまたは静止画データのみを選別する消去候補画像選別処理部と、を備えた。【選択図】図６
2010124323.tif 000002
【特許請求の範囲】
【請求項１】
複数の動画データおよび静止画データを記憶するデータ記憶部と、
前記データ記憶部から所定の動画データおよび静止画データを読み出すデータ読出部と、
前記動画データおよび前記静止画データを関連付ける関連情報に基づいて、前記データ読出部によって順次読み出される複数の前記動画データおよび前記静止画データの中から消去候補となる動画データまたは静止画データのみを選別する消去候補画像選別処理部と、
を備える画像処理装置。
【請求項２】
前記消去候補画像選別処理部は、前記関連情報に基づいて、前記データ読出部によって読み出された動画データの記録中または再生中に、前記データ読出部によって読み出された静止画データが記録されているか否かを判断し、
前記動画データの記録中または再生中に前記データ読出部によって読み出されたいずれの静止画データも記録されていないと判断された動画データのみを消去候補として選別する、請求項１に記載の画像処理装置。
【請求項３】
前記消去候補画像選別処理部はさらに、
前記データ読出部によって読み出されたいずれかの動画データの記録中または再生中に記録されたと判断された静止画データのみを消去候補として選別する、請求項２に記載の画像処理装置。
【請求項４】
前記消去候補画像選別処理部は、前記動画データおよび前記静止画データを関連付ける関連情報に基づいて、前記データ読出部によって順次読み出される複数の前記動画データおよび前記静止画データの中から消去候補となる動画データまたは静止画データのみを選別する第１の消去候補画像選別処理と、
前記データ記憶部に記録されているすべての動画データまたは静止画データを消去候補として選別する第２の消去候補画像選別処理と、
を、ユーザによる選択に応じて適宜切り替えて実行する、請求項３に記載の画像処理装置。
【請求項５】
前記データ記憶部に記録されている静止画データが消去された場合、該静止画データに関する消去画像情報を保存する消去履歴保存部と、
前記消去画像情報に基づいて、消去された前記静止画データを復元する静止画データ復元処理部と、
をさらに備える、請求項４に記載の画像処理装置。
【請求項６】
前記消去履歴保存部は、消去された前記静止画データの前記関連情報を前記消去画像情報として保存し、
前記静止画データ復元処理部は、前記関連情報に基づいて、消去された前記静止画データと関連付けられた動画データのフレーム画像から、前記消去された静止画データを復元する、請求項５に記載の画像処理装置。
【請求項７】
前記関連情報は、前記データ記憶部に記録されている前記動画データのフレーム画像データおよび前記静止画データに記録されており、
前記消去候補画像選別処理部は、前記動画データのフレーム画像データに記録されている関連情報と、前記静止画データに記録されている前記関連情報と、を比較することにより、前記データ読出部によって読み出された動画データの記録中または再生中に、前記データ読出部によって読み出された静止画データが記録されているか否かを判断する、請求項６に記載の画像処理装置。
【請求項８】
前記関連情報は、ＧＰＳにより取得した位置情報および／または日時情報を少なくとも含む、請求項７に記載の画像処理装置。
【請求項９】
複数の動画データおよび静止画データを記憶するデータ記憶部から動画データおよび静止画データを読み出すデータ読出しステップと、
前記動画データおよび前記静止画データを関連付ける関連情報を読み出す関連情報読み出しステップと、
前記関連情報読み出しステップにより読み出された前記関連情報に基づいて、前記データ読出しステップにより読み出された動画データおよび静止画データの中から消去候補となる動画データまたは静止画データのみを選別する消去候補画像選別ステップと、
を含む消去候補画像選別方法。
【請求項１０】
複数の動画データおよび静止画データを記憶するデータ記憶部から動画データおよび静止画データを読み出すデータ読出し処理と、
前記動画データおよび前記静止画データを関連付ける関連情報を読み出す関連情報読み出し処理と、
前記関連情報読出し処理により読み出された前記関連情報に基づいて、前記データ読出し処理により読み出された動画データおよび静止画データの中から消去候補となる動画データまたは静止画データのみを選別する消去候補画像選別処理と、
をコンピュータに実行させる消去候補画像選別プログラム。
【発明の詳細な説明】
【技術分野】
【０００１】
本発明は、画像処理装置、消去候補画像選別方法および消去候補画像選別プログラムに関する。
【背景技術】
【０００２】
近年、デジタルカメラ、デジタルビデオカメラなどの撮像装置は、記録メモリの大容量化に伴い、大量の動画や静止画を記録することができるようになっている。また、例えば、特許文献１に記載のように、動画撮影中に同時に静止画を撮影することが可能な撮像装置も知られている。このような撮像装置を利用することによりユーザは、例えば、旅先で動画を撮影しながら、気に入ったシーンがあった場合に静止画を同時に撮影することもできる。
【０００３】
【特許文献１】特開２００７−３３６２８１号公報
【発明の開示】
【発明が解決しようとする課題】
【０００４】
しかし、動画および静止画に要求されるクオリティが高まるに連れて、一つ一つの画像データの容量も大きくなっている。したがって、例えば、旅先などで動画および静止画を多く撮影した場合、記録メモリの容量が不足してしまうおそれがある。このような場合、ユーザは、記録メモリに記録されている大量のデータの中から一部のデータを消去して、新しい動画および静止画を記録可能な容量を確保する必要がある。しかしながら、記録メモリには大量のデータが記録されているため、消去すべきデータを選択するのが困難であり、ユーザビリティに優れていないという問題があった。
【０００５】
ここで、近年では、例えば、顔認識などの特徴点解析を利用することにより、複数の静止画の中から類似する静止画のみを抽出する技術も知られている。このような特徴点解析を利用することにより、記録メモリに記録されている大量の静止画データの中から、類似する画像のみを抽出して、消去候補の静止画データとしてユーザに呈示することも考えられる。しかしながら、ユーザにとっては、類似する静止画が必ずしも重要でなく消去してもよい静止画であるとは限らない。例えば、同じ顔の被写体であっても、背景が異なる場合、撮影時間が異なる場合などは、ユーザにとっては重要な静止画データであることも考えられる。したがって、特徴点解析を利用しても、記録メモリに記録されている大量の静止画データの中から、ユーザにとって重要でない静止画データを選別して呈示することは困難であるという問題があった。また、撮影時間、撮影対象、撮影場所などがまったく異なる動画データについても同様に、ユーザにとって重要でない動画データを選別して呈示することが困難であるという問題があった。
【０００６】
そこで、本発明は、上記問題に鑑みてなされたものであり、本発明の目的とするところは、動画データと静止画データを関連付ける関連情報を利用することにより、消去候補となる動画データまたは静止画データを選別し、データ消去に関するユーザビリティを高めることが可能な、新規かつ改良された画像処理装置、消去候補画像選別方法および消去候補画像選別プログラムを提供することにある。
【課題を解決するための手段】
【０００７】
上記課題を解決するために、本発明のある観点によれば、複数の動画データおよび静止画データを記憶するデータ記憶部と、前記データ記憶部から所定の動画データおよび静止画データを読み出すデータ読出部と、前記動画データおよび前記静止画データを関連付ける関連情報に基づいて、前記データ読出部によって順次読み出される複数の前記動画データおよび前記静止画データの中から消去候補となる動画データまたは静止画データのみを選別する消去候補画像選別処理部と、を備える画像処理装置が提供される。
【０００８】
係る構成により、画像処理装置は、複数の動画データおよび静止画データを記憶しておくことができる。また、画像処理装置のデータ読出部は、データ記憶部から所定の動画データおよび静止画データを読み出すことができる。また、画像処理装置の消去候補画像選別処理部は、動画データおよび静止画データを関連付ける関連情報に基づいて、データ読出部によって順次読み出される複数の動画データおよび静止画データの中から消去候補となる動画データまたは静止画データのみを選別することができる。
【０００９】
また、前記消去候補画像選別処理部は、前記関連情報に基づいて、前記データ読出部によって読み出された動画データの記録中または再生中に、前記データ読出部によって読み出された静止画データが記録されているか否かを判断し、前記動画データの記録中または再生中に前記データ読出部によって読み出されたいずれの静止画データも記録されていないと判断された動画データのみを消去候補として選別することもできる。
【００１０】
また、前記消去候補画像選別処理部はさらに、前記データ読出部によって読み出されたいずれかの動画データの記録中または再生中に記録されたと判断された静止画データのみを消去候補として選別することもできる。
【００１１】
また、前記消去候補画像選別処理部は、前記動画データおよび前記静止画データを関連付ける関連情報に基づいて、前記データ読出部によって順次読み出される複数の前記動画データおよび前記静止画データの中から消去候補となる動画データまたは静止画データのみを選別する第１の消去候補画像選別処理と、前記データ記憶部に記録されているすべての動画データまたは静止画データを消去候補として選別する第２の消去候補画像選別処理と、を、ユーザによる選択に応じて適宜切り替えて実行することもできる。
【００１２】
また、画像処理装置は、前記データ記憶部に記録されている静止画データが消去された場合、該静止画データに関する消去画像情報を保存する消去履歴保存部と、前記消去画像情報に基づいて、消去された前記静止画データを復元する静止画データ復元処理部と、をさらに備えることもできる。
【００１３】
また、前記消去履歴保存部は、消去された前記静止画データの前記関連情報を前記消去画像情報として保存し、前記静止画データ復元処理部は、前記関連情報に基づいて、消去された前記静止画データと関連付けられた動画データのフレーム画像から、前記消去された静止画データを復元することもできる。
【００１４】
また、前記関連情報は、前記データ記憶部に記録されている前記動画データのフレーム画像データおよび前記静止画データに記録されており、前記消去候補画像選別処理部は、前記動画データのフレーム画像データに記録されている関連情報と、前記静止画データに記録されている前記関連情報と、を比較することにより、前記データ読出部によって読み出された動画データの記録中または再生中に、前記データ読出部によって読み出された静止画データが記録されているか否かを判断することもできる。
【００１５】
また、前記関連情報は、ＧＰＳにより取得した位置情報および／または日時情報を少なくとも含むこともできる。
【００１６】
また、上記課題を解決するために、本発明の別の観点によれば、複数の動画データおよび静止画データを記憶するデータ記憶部から動画データおよび静止画データを読み出すデータ読出しステップと、前記動画データおよび前記静止画データを関連付ける関連情報を読み出す関連情報読み出しステップと、前記関連情報読み出しステップにより読み出された前記関連情報に基づいて、前記データ読出しステップにより読み出された動画データおよび静止画データの中から消去候補となる動画データまたは静止画データのみを選別する消去候補画像選別ステップと、を含む消去候補画像選別方法が提供される。
【００１７】
また、上記課題を解決するために、本発明の別の観点によれば、複数の動画データおよび静止画データを記憶するデータ記憶部から動画データおよび静止画データを読み出すデータ読出し処理と、前記動画データおよび前記静止画データを関連付ける関連情報を読み出す関連情報読み出し処理と、前記関連情報読出し処理により読み出された前記関連情報に基づいて、前記データ読出し処理により読み出された動画データおよび静止画データの中から消去候補となる動画データまたは静止画データのみを選別する消去候補画像選別処理と、をコンピュータに実行させる消去候補画像選別プログラムが提供される。
【発明の効果】
【００１８】
以上説明したように本発明によれば、動画データと静止画データを関連付ける関連情報を利用することにより、消去候補となる動画データまたは静止画データを選別し、データ消去に関するユーザビリティを高めることが可能である。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．本発明の実施形態の概要
２．実施形態の１つに係る撮像装置１００の画像記録処理に関する機能構成
３．撮像装置１００による画像記録処理の詳細
４．撮像装置１００の消去候補画像選別処理に関する機能構成
５．撮像装置１００による消去候補画像選別処理の詳細
６．撮像装置１００の変形例
６−１．変形例１（静止画復元処理機能の追加例）
６−２．変形例２（別の静止画消去候補画像選別処理機能の追加例）
７．撮像装置１００のハードウェア構成
８．まとめ
【００２０】
（１．本発明の実施形態の概要）
本発明の実施形態の１つに係る画像処理装置の詳細を説明するにあたり、まず本実施形態の概要について説明する。なお、以下の説明においては画像処理装置の一例として、撮像機能を備えるデジタルカメラ、デジタルビデオカメラなどの撮像装置を例に説明するが、本発明の画像処理装置はこれらに限定されるものではない。画像処理装置は、動画データおよび静止画データを記憶することができる装置であれば、例えば、パーソナルコンピュータ、ＰＤＡ、再生装置（ＤＶＤレコーダ、ＨＤＤレコーダ）などのように撮像機能を有していないものであってもよい。
【００２１】
上述したように、従来の撮像装置は、記録メモリの大容量化に伴い、大量の動画や静止画を記録することができるようになっている。また、従来の撮像装置は、動画撮影中に同時に静止画を撮影することが可能な機能も備えている。このような従来の撮像装置を利用することによりユーザは、例えば、旅先で動画を撮影しながら、気に入ったシーンがあった場合に静止画を同時に撮影することもできる。
【００２２】
しかし、動画および静止画に要求されるクオリティが高まるに連れて、一つ一つの画像データの容量も大きくなっている。したがって、例えば、旅先などで動画および静止画を多く撮影した場合、記録メモリの容量が不足してしまうおそれがある。このような場合、ユーザは、記録メモリに記録されている大量のデータの中から一部のデータを消去して、新しい動画および静止画を記録可能な容量を確保する必要がある。しかしながら、記録メモリには大量のデータが記録されているため、消去すべきデータを選択するのが困難であり、ユーザビリティに優れていないという問題があった。
【００２３】
ここで、近年では、例えば、顔認識などの特徴点解析により類似する静止画のみを抽出し、消去候補の静止画データとしてユーザに呈示することも考えられる。しかしながら、ユーザにとっては、類似する静止画が必ずしも重要でなく、消去してもよい静止画であるとは限らない。例えば、同じ顔の被写体であっても、背景が異なる静止画である場合や、撮影時間が異なる静止画である場合などは、ユーザにとっては重要な静止画データであることも考えられる。したがって、特徴点解析を利用しても、記録メモリに記録されている大量の静止画データの中から、ユーザにとって重要でない静止画データを選別して呈示することは困難であるという問題があった。また、撮影時間、撮影対象、撮影場所などがまったく異なる動画データについても同様に、ユーザにとって重要でない動画データを選別して呈示することが困難であるという問題があった。
【００２４】
さらに、一度消去した静止画データについては、その後同じ静止画データを復元することができないため、ユーザは、静止画データの消去を慎重に行わなければならず、ユーザビリティに優れていないという問題があった。
【００２５】
本発明の実施形態に係る撮像装置は、このような問題点を解決することができる。すなわち、本発明の実施形態に係る撮像装置は、動画データと静止画データを関連付ける関連情報を利用することにより、消去候補となる動画データまたは静止画データを選別し、データ消去に関するユーザビリティを高めることが可能である。
【００２６】
具体的には、本発明の実施形態に係る撮像装置は、動画データおよび静止画データを関連付ける関連情報を管理し、当該関連情報に基づいて、消去候補となる動画データまたは静止画データを選別する。また、本実施形態に係る撮像装置は、関連情報に基づいて、動画データの記録中または再生中に静止画データが記録されているか否かを判断することができる。
【００２７】
ここで、動画データの記録中または再生中に静止画データを記録する場合、ユーザにとって思い出深いシーンを撮影していることが想定され、当該動画データはユーザにとって重要なデータである可能性が高い。したがって、本実施形態に係る撮像装置は、動画データの記録中または再生中に静止画データが記録されていない動画データのみを、ユーザにとってそれほど重要でない動画データであると判断し、当該動画データを消去候補として選別する。
【００２８】
一方、静止画データについては、動画データの記録中または再生中に記録された静止画データはユーザにとって重要なデータである可能性はある。しかしながら、静止画データと関連付けられた動画データが存在すれば、当該動画データのフレーム画像に基づいて静止画データを復元することができる。したがって、本実施形態に係る撮像装置は、動画データの記録中または再生中に記録された静止画データのみを、動画データに基づいて復元可能であると判断し、当該静止画データを消去候補として選別する。
【００２９】
また、本実施形態に係る撮像装置は、静止画データを消去する際に、消去する静止画データに関する情報を保存する。これにより、本実施形態に係る撮像装置は、静止画データを消去しても、消去した静止画データに関連する動画データのフレーム画像に基づいて静止画データを復元することができる。
【００３０】
このように、本実施形態に係る撮像装置は、動画データおよび静止画データを関連付ける関連情報を利用することにより、消去候補となる動画データまたは静止画データを選別し、データ消去に関するユーザビリティを高めることが可能である。以下、このような特徴を有する本実施形態に係る撮像装置１００の詳細について説明する。
【００３１】
（２．実施形態の１つに係る撮像装置１００の画像記録処理に関する機能構成）
まず、本実施形態に係る撮像装置１００の画像記録処理に関する機能構成について説明する。図１は、本実施形態に係る撮像装置１００の画像記録処理に関する機能構成の一例を示す説明図である。
【００３２】
本実施形態に係る撮像装置１００は主に、動画記録に関する機能部と、静止画記録に関する機能部と、ＧＰＳ情報の付加に関する機能部と、ユーザによる操作入力に関する機能部と、表示処理に関する機能部と、を含んで構成される。撮像装置１００を構成するこれらの各機能部は、ＣＰＵ（Ｃｅｎｔｒａｌ  Ｐｒｏｃｅｓｓｉｎｇ  Ｕｎｉｔｓ）によって制御されることにより各種機能を実行する。また、図１に示した撮像装置１００の機能構成は、本実施形態に係る撮像装置１００が備える画像記録処理機能を説明する上での一例であり、本発明はこれらに限定されるものではない。すなわち、撮像装置１００は、図１に示した機能構成以外にも、後述する再生機能、消去候補選別機能、画像編集機能などを備える他、例えば、通信機能、音声入出力機能などのように、通常の撮像装置に備えられる各種機能をさらに備えることも当然に可能である。なお、以下の説明においては、撮像装置１００が備える画像記録処理機能を中心に、図１に示した各機能構成部の詳細について説明する。
【００３３】
図１に示すように、撮像装置１００は、動画記録に関する機能部としては主に、撮像部１０２と、撮像データ格納部１０４と、第１動画データ信号処理部１０６と、第１動画データ一時格納部１０８と、動画データエンコード部１１０と、動画データ多重化部１１６と、動画データ記録部１１８と、動画データ記憶部１２４と、が含まれる。また、静止画データに関する機能部としては主に、静止画データ取得部１３２と、静止画データ信号処理部１３４と、静止画データエンコード部１３６と、メタデータ埋込部１３８と、静止画データ記録部１４０と、静止画データ記憶部１４２と、が含まれる。また、ＧＰＳ情報の付加に関する機能部としては主に、ＧＰＳ情報取得部１１２と、ＧＰＳデータ格納部１１４、とが含まれる。また、ユーザによる操作入力に関する機能部としては主に、入力部１２０と、入力データ格納部１２２と、が含まれる。さらに、表示処理に関する機能部としては主に、表示部１２６と、動画データ外部出力部１２８と、が含まれる。
【００３４】
（動画記録に関する機能部について）
撮像部１０２は、内蔵する撮像素子上に被写体の画像を結像させ、撮像素子上に蓄積された画像データを撮像データ格納部１０４へ転送する。なお、撮像素子としては、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄ  Ｓｅｍｉｃｏｎｄｕｃｔｏｒ）などが挙げられるがこれらに限定されるものではない。
【００３５】
撮像データ格納部１０４は、半導体メモリなどで構成され、撮像部１０２から転送される複数の撮像データを一時的に記憶する。
【００３６】
第１動画データ信号処理部１０６は、撮像データ格納部１０４に格納されている撮像データに対して、解像度変換や補正処理などの各種映像信号処理を行い、動画データとして第１動画データ一時格納部１０８へ転送する。なお、第１動画データ信号処理部１０６は、動画データの転送先に応じて、１の撮像データに対して複数の映像信号処理を行って複数の動画データを生成することもできる。例えば、第１動画データ信号処理部１０６は、撮像装置１００に備えられる表示部１２６がＶＧＡ（Ｖｉｄｅｏ  Ｇｒａｐｈｉｃｓ  Ａｒｒａｙ）パネルである場合には、６４０×４８０の解像度の動画データを生成する。また、第１動画データ信号処理部１０６は、ＨＤＴＶなどの表示装置１３０が撮像装置１００と外部接続されている場合には、１９２０×１０８０の解像度の動画データもあわせて生成する。
【００３７】
第１動画データ一時格納部１０８は、半導体メモリなどで構成され、第１動画データ信号処理部１０６から転送される複数の動画データを一時的に記憶する。なお、第１動画データ一時格納部１０８は、動画データの転送先に応じて複数の格納部により構成されてもよい。
【００３８】
動画データエンコード部１１０は、第１動画データ一時格納部１０８に格納されている記録用の動画データを、例えばＭＰＥＧビデオ形式などの動画フォーマットにエンコードして、動画データ多重化部１１６へ転送する。
【００３９】
動画データ多重化部１１６は、動画データエンコード部１１０によってエンコードされた画像データ、および音声データ生成部（図示せず）などによって所定の音声フォーマットにエンコードされた音声データに対して多重化処理を行う。また、動画データ多重化部１１６は、後述するＧＰＳ情報取得部１１２によって収集される位置情報および／または日時情報を少なくとも含むＧＰＳデータとも多重化処理を行うことができる。動画データ多重化部１１６によって多重化処理が施された動画データは、動画データ記録部１１８へ転送される。
【００４０】
動画データ記録部１１８は、動画データ多重化部１１６によって多重化処理された動画データを、動画データ記憶部１２４に記録する。動画データ記録部１１８は、後述する入力部１２０を介してユーザからの記録指示を受け付けた場合に、動画データを動画データ記憶部１２４に記録することができる。
【００４１】
動画データ記憶部１２４は、動画データを記憶するための不揮発性の記憶領域である。動画データ記憶部１２４は、例えば、ＤＶＤやＢｌｕｅｒａｙ  Ｄｉｓｃ（登録商標）などの光ディスク、ハードディスクなどの磁気ディスク、半導体メモリなどにより構成されることができる。また、動画データ記憶部１２４は、図１に示すように必ずしも撮像装置１００に備えられる必要はない。動画データ記憶部１２４は、例えば、撮像装置１００のスロット（図示せず）に挿入される外部記録メディアであってもよい。また、動画データ記憶部１２４は、例えば、有線または無線ネットワークにより接続される外部サーバ上に備えられてもよい。また、動画データ記憶部１２４は、複数の動画データおよび静止画データを記憶することができれば、上記の記憶方式に限定されるものではない。なお、動画データ記憶部１２４は、本発明におけるデータ記憶部として機能する。
【００４２】
以上の機能部により、本実施形態に係る撮像装置１００は、動画データを記録することができる。なお、動画データの記録処理の流れについては後述する処理フローにおいて説明する。
【００４３】
（静止画記録に関する機能部について）
静止画データ取得部１３２は、撮像データ格納部１０４に格納されている撮像データから、１フレームを静止画データとして抜き出し、静止画データ信号処理部１３４へ転送する。静止画データ取得部１３２は、後述する入力部１２０を介してユーザからの静止画取得指示を受け付けた場合に、静止画データを撮像データから抜き出し、静止画データ信号処理部１３４へ転送することができる。
【００４４】
静止画データ信号処理部１３４は、静止画データ取得部１３２から転送される静止画データに対して、補正処理などの各種画像信号処理を行った後、該静止画データを静止画データエンコード部１３６へ転送する。
【００４５】
静止画データエンコード部１３６は、静止画データ信号処理部１３４から転送される静止画データを、例えば、ＪＰＥＧ（Ｊｏｉｎｔ  Ｐｈｏｔｏｇｒａｐｈｉｃ  Ｅｘｐｅｒｔｓ  Ｇｒｏｕｐ）などの静止画圧縮フォーマットにエンコードする。静止画データエンコード部１３６によりエンコードされた静止画データはその後、メタデータ埋込部１３８へ転送される。
【００４６】
メタデータ埋込部１３８は、静止画データエンコード部１３６によりエンコードされた静止画データに対して、後述するＧＰＳ情報取得部１１２によって収集される位置情報および／または日時情報を少なくとも含むＧＰＳデータを追記する。メタデータ埋込部１３８は、例えば、ＥＸＩＦ（Ｅｘｃｈａｎｇｅａｂｌｅ  Ｆｉｌｅ  Ｆｏｒｍａｔ）に準じて、静止画データに対してＧＰＳデータを追記することができる。
【００４７】
静止画データ記録部１４０は、メタデータ埋込部１３８によってＧＰＳデータが追記された静止画データを、静止画データ記憶部１４２に記録する。静止画データ記録部１４０は、後述する入力部１２０を介してユーザからの記録指示を受け付けた場合に、静止画データを静止画データ記憶部１４２に記録することができる。
【００４８】
静止画データ記憶部１４２は、静止画データを記憶するための不揮発性の記憶領域である。静止画データ記憶部１４２は、上述した動画データ記憶部１２４と同様に、種々の記憶方式を備えて構成されることができ、撮像装置１００に備えられても、外部記録メディアに備えられても、外部サーバ上に備えられてもよい。また、図１に示す機能構成の一例では、静止画データ記憶部１４２および動画データ記憶部１２４が説明の便宜上別の構成となっているが、本発明はこれに限定されるものではない。すなわち、同一の記録メディアに動画データ記憶部１２４および静止画データ記憶部１４２が備えられることにより、動画データおよび静止画データを同一の記憶メディアに記憶しておくことも当然に可能である。なお、静止画データ記憶部１４２は、本発明におけるデータ記憶部として機能する。
【００４９】
以上の機能部により、本実施形態に係る撮像装置１００は、静止画データを記録することができる。なお、静止画データの記録処理の流れについては後述する処理フローにおいて説明する。
【００５０】
（ＧＰＳ情報の付加に関する機能部について）
ＧＰＳ情報取得部１１２は、ＧＰＳ（Ｇｌｏｂａｌ  Ｐｏｓｉｔｉｏｎｉｎｇ  Ｓｙｓｔｅｍ）を利用することにより撮像装置１００の現在位置および日時に関する情報を取得して、ＧＰＳデータとしてＧＰＳデータ格納部１１４へ一定周期で転送する。ＧＰＳ情報取得部１１２が利用するＧＰＳは、人工衛星から電波を受信することにより、現在位置および日時に関する情報を取得することができるが、ＧＰＳを利用した技術については既に広く知られているため詳細については省略する。また、ＧＰＳデータに含まれる情報は特定の情報に限られず、例えば高度などの他の情報を含んでもよい。また、ＧＰＳ情報取得部１１２は、ＧＰＳにより取得した各種情報に加えて、例えば、方位センサによって検出された方角に関する情報などを追記して、ＧＰＳデータ格納部１１４へ転送してもよい。
【００５１】
ＧＰＳデータ格納部１１４は、半導体メモリなどで構成され、ＧＰＳ情報取得部１１２から転送されるＧＰＳデータを一時的に記憶する。ＧＰＳデータ格納部１１４に格納されたＧＰＳデータは、上述したように、動画データ多重化部１１６によって動画データに多重化されたり、メタデータ埋込部１３８によって静止画データに追記されたりする。
【００５２】
以上の機能部により、本実施形態に係る撮像装置１００は、動画データおよび静止画データにＧＰＳデータを記録することができる。なお、動画データおよび静止画データにＧＰＳデータを記録する処理の流れについては後述する処理フローにおいて説明する。
【００５３】
（ユーザによる操作入力に関する機能部について）
入力部１２０は、ユーザからの指示入力を受けて、受け付けた指示内容をデコードし、各種命令を入力データ格納部１２２へ転送する。撮像装置１００は、ユーザからの操作を受け付ける操作部、例えば、タッチパネル、ボタン、スイッチ、レバー、ダイヤルなどを備えている。入力部１２０は、これらの操作部をユーザが操作した際に、操作内容に応じた処理を実行するために、当該処理の実行命令を入力データ格納部１２２へ転送する。
【００５４】
入力データ格納部１２２は、入力部１２０から転送される各種命令を蓄積し、上述した動画データ記録部１１８、静止画データ取得部１３２および静止画データ記録部１４０へ転送する。これにより、動画データ記録部１１８、静止画データ取得部１３２および静止画データ記録部１４０は、入力データ格納部１２２から転送される命令に基づいて、ユーザが所望する処理を実行することができる。なお、入力データ格納部１２２に蓄積されている各種命令は、上述した動画データ記録部１１８、静止画データ取得部１３２および静止画データ記録部１４０に限らず、ユーザによる操作内容に応じて、撮像装置１００が備える各種機能構成部にも転送される。
【００５５】
（表示処理に関する機能部について）
表示部１２６は、例えば、ＬＣＤ（Ｌｉｑｕｉｄ  Ｃｒｙｓｔａｌ  Ｄｉｓｐｌａｙ；液晶ディスプレイ）や有機ＥＬ（ＥｌｅｃｔｒｏＬｕｍｉｎｅｓｃｅｎｃｅ  ｄｉｓｐｌａｙ）ディスプレイなどからなり、撮像装置１００上に備えられる。表示部１２６には、第１動画データ一時格納部１０８に格納されている動画データのうち、第１動画データ信号処理部１０６によって表示部１２６の仕様などに応じて信号処理が施された動画データが表示される。これによりユーザは、表示部１２６に表示される映像を確認して、ズーミング、フォーカシングなどの調整を行ったうえで、動画データおよび静止画データの記録を撮像装置１００に指示することができる。
【００５６】
動画データ外部出力部１２８は、例えば、ＨＤＭＩ（Ｈｉｇｈ  Ｄｅｇｉｎｉｔｉｏｎ  Ｍｕｌｔｉｍｅｄｉａ  Ｉｎｔｅｒｆａｃｅ）などのインターフェイスを含み、テレビなどの表示装置１３０へ動画データを送信する。動画データ外部出力部１２８は、第１動画データ一時格納部１０８に格納されている動画データのうち、第１動画データ信号処理部１０６によって表示装置１３０が有するディスプレイの仕様などに応じて信号処理が施された動画データを表示装置１３０へ送信する。これによりユーザは、撮像装置１００と外部接続された表示装置１３０のディスプレイに表示される映像を確認して、ズーミング、フォーカシングなどの調整を行ったうえで、動画データおよび静止画データの記録を撮像装置１００に指示することができる。
【００５７】
なお、撮像装置１００は、必ずしも表示部１２６および動画データ外部出力部１２８を備える必要はない。すなわち、撮像部１０２によって撮像される映像を表示することが可能なディスプレイは、撮像装置１００自体に備えられても、撮像装置１００と接続される外部機器に備えられてもよい。
【００５８】
以上の機能部により、本実施形態に係る撮像装置１００は、ユーザが撮像可能な映像を表示させることができる。なお、ユーザが撮像可能な映像の表示処理の流れについては後述する処理フローにおいて説明する。
【００５９】
以上、本実施形態に係る撮像装置１００の画像記録処理に関する機能構成の詳細について図１を参照に説明した。
【００６０】
（３．撮像装置１００による画像記録処理の詳細）
次に、上述した機能構成を有する撮像装置１００により行われる動画データおよび静止画データの記録処理の流れについて説明する。図２は、本実施形態に係る撮像装置１００において、記録モード時における処理の流れの一例を示すフロー図である。なお、図２に示す処理は、撮像装置１００の電源投入後にユーザが記録モード（動画または静止画の撮像モード）を選択することにより行われる。
【００６１】
図２に示すように、ユーザにより記録モードが選択されると、入力部１２０からの命令に応じて表示処理、動画記録処理および静止画記録処理が行われることとなる。すなわち、ステップ２００において、撮像装置１００は表示処理を実行する。なお、表示処理の詳細については図３を参照にして後述する。
【００６２】
また、ステップ２００と並行して、撮像装置１００は、ステップ２０２において、入力データ格納部１２２に格納されている命令情報に基づいて、ユーザから動画記録の指示があったか否かを確認する。ユーザから動画記録の指示があったと判断した場合、撮像装置１００は、ステップ２０４において、動画記録処理を実行する。すなわち、ユーザが、例えば、撮像装置１００に備えられるＲｅｃボタンなどを押した場合、撮像装置１００は、ステップ２０４の動画記録処理を実行することとなる。なお、動画記録処理の詳細については図４を参照にして後述する。
【００６３】
さらに、ステップ２００と並行して、撮像装置１００は、ステップ２０６において、入力データ格納部１２２に格納されている命令情報に基づいて、ユーザから静止画記録の指示があったか否かを確認する。ユーザから静止画記録の指示があったと判断した場合、撮像装置１００は、ステップ２０８において、静止画記録処理を実行する。すなわち、ユーザが、例えば、撮像装置１００に備えられるシャッターボタンなどを押した場合、撮像装置１００は、ステップ２０８の静止画記録処理を実行することとなる。なお、静止画記録処理の詳細については図５を参照にして後述する。
【００６４】
次に、撮像装置１００は、ステップ２１０において、入力データ格納部１２２に格納されている命令情報に基づいて、ユーザから記録モード終了の指示があったか否かを確認する。ユーザから記録モード終了の指示があったと判断した場合、撮像装置１００は、記録モードを終了する。一方、ユーザから記録モード終了の指示がなかったと判断した場合、撮像装置１００は、再度上述したステップ２００〜ステップ２０８の処理を実行する。
【００６５】
以上、記録モード時における処理の流れについて説明した。なお、図２に示す表示処理、動画記録処理および静止画記録処理は並列的に行われるものである。したがって、例えば、ユーザが撮像装置１００のＲｅｃボタンなどを押すことにより、ステップ２００による表示処理２００およびステップ２０４による動画記録処理が同時に実行されることとなる。また、動画記録中にユーザが撮像装置１００のシャッターボタンを押した場合には、ステップ２００による表示処理と、ステップ２０４による動画記録処理と、ステップ２０８による静止画記録処理と、が同時に実行されることとなる。
【００６６】
次に、図２に示したステップ２００による表示処理、ステップ２０４による動画記録処理およびステップ２０８による静止画記録処理の詳細の流れについて図３〜５のフロー図を参照に説明する。
【００６７】
（ステップ２００による表示処理の流れ）
図３は、本実施形態に係る撮像装置１００において、図２に示したステップ２００により実行される撮像画像の表示処理の流れの一例を示すフロー図である。
【００６８】
図３に示すように、ステップ３００において、撮像部１０２は、被写体の画像を結像し、撮像データ格納部１０４へ撮像データを転送する。転送された撮像データは、撮像データ格納部１０４によって一時的に記憶される。
【００６９】
次に、ステップ３０２において、第１動画データ信号処理部１０６は、撮像データ格納部１０４が一時記憶している撮像データに対して、解像度変換や補正処理などの各種映像信号処理を行い、動画データとして第１動画データ一時格納部１０８へ転送する。これを受けて表示部１２６には、ステップ３０４において、第１動画データ一時格納部１０８に格納されている動画データが表示される。
【００７０】
さらに、ステップ３０６において、動画データ外部出力部１２８は、撮像装置１００にディスプレイを有する表示装置１３０が外部接続されているか否かを判断する。撮像装置１００に表示装置１３０が外部接続されていると判断した場合、動画データ外部出力部１２８は、第１動画データ一時格納部１０８に格納されている動画データを表示装置１３０へ送信して表示させる。
【００７１】
以上の処理フローにより、記録モードにおいて表示部１２６または／および表示装置１３０に連続的に撮像部１０２を介した映像が表示されることとなる。
【００７２】
（ステップ２０４による動画記録処理の流れ）
次に、図２に示したステップ２０４により実行される動画記録処理の流れについて説明する。図４は、本実施形態に係る撮像装置１００において、図２に示したステップ２０４により実行される動画データの記録処理の流れの一例を示すフロー図である。なお、ステップ４００およびステップ４０２については、上述したステップ３００およびステップ３０２と同内容の処理が行われるため説明は省略する。
【００７３】
図４に示すように、ステップ４０４において、動画データエンコード部１１０は、第１動画データ一時格納部１０８に格納されている記録用の動画データを、例えばＭＰＥＧビデオ形式などの動画フォーマットにエンコードする。
【００７４】
ステップ４００〜４０４による動画データのエンコード処理と並列して、撮像装置１００は、ＧＰＳデータの取得処理を実行する。具体的には、ステップ４０６において、ＧＰＳ情報取得部１１２は、撮像装置１００の現在位置および日時に関する情報を取得し、ステップ４０８において、位置情報および日時情報を含むＧＰＳデータをＧＰＳデータ格納部１１４へ転送する。
【００７５】
その後、ステップ４１０において、動画データ多重化部１１６は、ステップ４０４によりエンコードされた画像データ、およびステップ４０８によりＧＰＳデータ格納部１１４に格納されたＧＰＳデータに対して多重化処理を行う。また、図４には示していないが、動画データ多重化部１１６は、音声データ生成部（図示せず）などによって所定の音声フォーマットにエンコードされた音声データに対してあわせて多重化することも当然に可能である。
【００７６】
次に、ステップ４１２において、動画データ記録部１１８は、ステップ４１０により多重化された動画データを動画データ記憶部１２４に記録する。
【００７７】
その後、ステップ４１４において、撮像装置１００は、入力データ格納部１２２に格納されている命令情報に基づいて、ユーザから動画記録終了の指示があったか否かを確認する。ユーザから動画記録終了の指示があったと判断した場合、撮像装置１００は、動画記録処理を終了する。一方、ユーザから動画記録終了の指示がなかったと判断した場合、撮像装置１００は、上述したステップ４００〜４１２の処理を再度実行する。すなわち、ユーザが再度撮像装置１００に備えられるＲｅｃボタンなどを押すまで、撮像装置１００は、動画記録処理を継続して実行することとなる。
【００７８】
（ステップ２０８による静止画記録処理の流れ）
次に、図２に示したステップ２０８により実行される静止画記録処理の流れについて説明する。図５は、本実施形態に係る撮像装置１００において、図２に示したステップ２０８により実行される静止画データの記録処理の流れの一例を示すフロー図である。
【００７９】
図５に示すように、ステップ５００において、静止画データ取得部１３２は、撮像データ格納部１０４に格納されている撮像データから、１フレームを静止画データとして抜き出し、静止画データ信号処理部１３４へ転送する。
【００８０】
次に、ステップ５０２において、静止画データ信号処理部１３４は、静止画データ取得部１３２から転送される静止画データに対して、補正処理などの各種画像信号処理を行った後、該静止画データを静止画データエンコード部１３６へ転送する。
【００８１】
その後、ステップ５０４において、静止画データエンコード部１３６は、静止画データ信号処理部１３４から転送される静止画データを、例えば、ＪＰＥＧなどの静止画圧縮フォーマットにエンコードする。
【００８２】
また、ステップ５００〜５０４による静止画データのエンコード処理と並列して、撮像装置１００は、上述したステップ４０６および４０８による処理と同様に、ＧＰＳデータの取得処理を実行する。
【００８３】
その後、ステップ５１０において、メタデータ埋込部１３８は、ステップ５０４によりエンコードされた静止画データに対して、ステップ５０８によりＧＰＳデータ格納部１１４に格納されたＧＰＳデータを追記する。
【００８４】
次に、ステップ５１２において、静止画データ記録部１４０は、ステップ５１０によりＧＰＳデータが追記された静止画データを、静止画データ記憶部１４２に記録する。
【００８５】
以上の処理により、撮像装置１００は、ユーザが撮像装置１００に備えられるシャッターボタンなどを押した際に、ＧＰＳ情報を含む静止画データを記録することができる。
【００８６】
（４．撮像装置１００の消去候補画像選別処理に関する機能構成）
次に、上述した撮像装置１００に備えられる消去候補画像選別処理に関する機能構成について説明する。上述したように、撮像装置１００は、動画データ記憶部１２４および静止画データ記憶部１４２に記録されている複数の動画データおよび静止画データの中から消去候補となる動画データまたは静止画データのみを選別することができる。以下、本実施形態に係る撮像装置１００の当該特徴を実現する機能構成の詳細について説明する。
【００８７】
図６および図７は、本実施形態に係る撮像装置１００の消去候補画像選別処理に関する機能構成の一例を示す説明図である。なお、説明の便宜上図６および図７の２つの図面により機能構成が示されているが、図６および図７に示される機能構成部は同一の撮像装置１００に備えられるものである。また、図６および図７に示される各機能構成部間の信号の流れは、記号（ａ）、（ｂ）、（ｃ）により表している。また、図１に示した機能構成部と同一の機能構成部には同一の符号を付しており、以下においては詳細の説明は省略する。
【００８８】
撮像装置１００は主に、動画再生に関する機能部と、静止画再生に関する機能部と、動画および静止画の消去候補画像選別に関する機能部と、データの消去処理に関する機能部と、表示処理に関する機能部と、を含んで構成される。撮像装置１００を構成するこれらの各機能部は、ＣＰＵ（Ｃｅｎｔｒａｌ  Ｐｒｏｃｅｓｓｉｎｇ  Ｕｎｉｔｓ）によって制御されることにより各種機能を実行する。以下、図６および図７に示した各機能構成部の詳細について説明する。
【００８９】
図６、７に示すように、動画再生に関する機能部は主に、動画データ読出部１５０と、動画データ分離部１５２と、動画データデコード部１５４と、第２動画データ一時格納部１５８と、動画一覧生成部１６２と、動画データ選択部１６４と、を含んで構成される。また、静止画再生に関する機能部としては主に、静止画データ読出部１６６と、静止画データデコード部１６８と、静止画データ一時格納部１７２と、静止画一覧生成部１７４と、静止画データ選択部１７６と、を含んで構成される。また、動画および静止画の消去候補選別に関する機能部は主に、メタデータ読出部１７０と、メタデータ処理部１５６と、消去候補選別部１５７と、を含んで構成される。また、データの消去処理に関する機能部としては主に、動画データ消去部１８２と、静止画データ消去部１８４と、を含んで構成される。さらに、表示処理に関する機能部としては主に、セレクタ１６０と、画像データ信号処理部１７８と、画像データ一時格納部１８０と、画像データ外部出力部１８１と、を含んで構成される。
【００９０】
（動画再生に関する機能部について）
動画データ読出部１５０は、動画データ記憶部１２４から所定の動画データを読み出して、動画データ分離部１５２へ転送する。動画データ読出部１５０は、入力部１２０を介したユーザからの命令や、後述する動画データ選択部１６４、メタデータ処理部１５６または消去候補選別部１５７などからの命令に応じて、所定の動画データを動画データ記憶部１２４から読み出すことができる。なお、動画データ読出部１５０は、本発明におけるデータ読出部として機能する。
【００９１】
動画データ分離部１５２は、動画データ読出部１５０から転送される動画データを各種データへ分離する。動画データ分離部１５２は、例えば、動画データに多重化されている音声データやＧＰＳデータを含むメタデータ（以下、単にメタデータという）を分離することができる。動画データ分離部１５２により分離された動画データは、後述する動画データデコード部１５４へ転送され、メタデータは、後述するメタデータ処理部１５６へ転送され、その他音声データなども対応する処理部（図示せず）へ転送される。
【００９２】
動画データデコード部１５４は、動画データ分離部１５２から転送される動画データをデコードして、第２動画データ一時格納部１５８へ転送する。
【００９３】
第２動画データ一時格納部１５８は、半導体メモリなどで構成され、動画データデコード部１５４から転送される複数の動画データを一時的に記憶する。第２動画データ一時格納部１５８に格納された動画データは、後述する表示処理に関する機能部によって表示部１２６や表示装置１３０に表示されることとなる。なお、動画データの再生処理の流れについては後述する処理フローにおいて説明する。
【００９４】
動画一覧生成部１６２は、第２動画データ一時格納部１５８に格納されている動画データのサムネイル画像を抽出し、当該サムネイル画像に基づいて動画データの選択画面の構成を行う。動画一覧生成部１６２は、例えば、ユーザが、動画データの一覧表示モード（以下、プレビューモードともいう）を指示した場合、サムネイル画像を抽出して、動画データのプレビューモード時に表示する画像を生成する。
【００９５】
動画データ選択部１６４は、プレビューモードにおいてユーザが選択した動画データに関する情報を動画データ読出部１５０または後述する動画データ消去部１８２へ転送する。これを受けて動画データ読出部１５０は、ユーザが選択した動画データを動画データ記憶部１２４から読み出すことができる。また、動画データ消去部１８２は、ユーザが選択した動画データを動画データ記憶部１２４から消去することができる。動画データ選択部１６４は、入力部１２０を介してユーザからの指示を判断し、ユーザがプレビューモードにおいて動画データの再生を選択した場合は、当該動画データに関する情報を動画データ読出部１５０へ転送する。また、動画データ選択部１６４は、ユーザがプレビューモードにおいて動画データの消去を選択した場合は、当該動画データに関する情報を動画データ消去部１８２へ転送する（図６および図７における（ｃ））。
【００９６】
（静止画再生に関する機能部）
静止画データ読出部１６６は、静止画データ記憶部１４２から所定の静止画データを読み出して、静止画データデコード部１６８およびメタデータ読出部１７０へ転送する。静止画データ読出部１６６は、入力部１２０を介したユーザからの命令や、後述する静止画データ選択部１７６、メタデータ処理部１５６または消去候補選別部１５７などからの命令に応じて、所定の静止画データを静止画データ記憶部１４２から読み出すことができる。なお、静止画データ読出部１６６は、本発明におけるデータ読出部として機能する。
【００９７】
静止画データデコード部１６８は、静止画データ読出部１６６から転送される静止画データをデコードして、静止画データ一時格納部１７２へ転送する。
【００９８】
静止画データ一時格納部１７２は、半導体メモリなどで構成され、静止画データデコード部１６８から転送される複数の静止画データを一時的に記憶する。静止画データ一時格納部１７２に格納された静止画データは、後述する表示処理に関する機能部によって表示部１２６や表示装置１３０に表示されることとなる。なお、静止画データの再生処理の流れについては後述する処理フローにおいて説明する。
【００９９】
静止画一覧生成部１７４は、静止画データ一時格納部１７２に格納されている静止画データをサムネイル画像として抽出し、当該サムネイル画像に基づいて静止画データの選択画面の構成を行う。静止画一覧生成部１７４は、例えば、ユーザが、静止画データのプレビューモードを指示した場合、サムネイル画像を抽出して、静止画データのプレビューモード時に表示する画像を生成する。
【０１００】
静止画データ選択部１７６は、プレビューモードにおいてユーザが選択した静止画データに関する情報を静止画データ読出部１６６または後述する静止画データ消去部１８４へ転送する。これを受けて静止画データ読出部１６６は、ユーザが選択した静止画データを静止画データ記憶部１４２から読み出すことができる。また、静止画データ消去部１８４は、ユーザが選択した静止画データを静止画データ記憶部１４２から消去することができる。静止画データ選択部１７６は、入力部１２０を介してユーザからの指示を判断し、ユーザがプレビューモードにおいて静止画データの再生を選択した場合は、当該静止画データに関する情報を静止画データ読出部１６６へ転送する。また、静止画データ選択部１７６は、ユーザがプレビューモードにおいて静止画データの消去を選択した場合は、当該静止画データに関する情報を静止画データ消去部１８４へ転送する（図６および図７における（ａ））。
【０１０１】
（動画および静止画の消去候補画像選別に関する機能部）
メタデータ読出部１７０は、静止画データ読出部１６６が読み出した静止画データからメタデータを読み出して、後述するメタデータ処理部１５６へ転送する。上述したように、静止画データ記憶部１４２に記録されている静止画データには、位置情報および日時情報などのＧＰＳデータを含むメタデータが記録されている。したがって、メタデータ読出部１７０は、静止画データ読出部１６６が読み出した静止画データから、少なくとも位置情報および日時情報を含むメタデータを読み出して、メタデータ処理部１５６へ転送することができる。
【０１０２】
メタデータ処理部１５６は、動画データ分離部１５２によって動画データから分離されたメタデータと、メタデータ読出部１７０によって読み出されたメタデータと、が一致するか否かを判断する。上述したように、本実施形態に係る撮像装置１００は、動画データの消去候補を選別する際には、動画データの記録中または再生中に静止画データが記録されていない動画データのみを消去候補として選別する。さらに、撮像装置１００は、静止画データの消去候補を選別する際には、動画データの記録中または再生中に記録された静止画データのみを消去候補として選別する。ここで、上述したように、動画データのフレーム画像および静止画データには、少なくとも位置情報および日時情報を含むメタデータが記録されている。したがって、静止画データに記録されたメタデータの位置情報および日時情報が、動画データの所定フレーム画像に記録されたメタデータの位置情報および日時情報と一致すれば、当該静止画データは、当該動画データの記録中または再生中に記録されたものである。
【０１０３】
したがって、メタデータ処理部１５６は、動画データの消去候補を選別する場合、静止画データ読出部１６６によって読み出された静止画データのメタデータが、対象となる動画データのいずれかのフレーム画像に記録されたメタデータと一致するか否かを判断する。また、メタデータ処理部１５６は、順次静止画データ読出部１６６に対して静止画データの読み出しを指示する。これにより、メタデータ処理部１５６は、静止画データ記憶部１４２に記録されているすべての静止画データのメタデータが、対象となる動画データのいずれかのフレーム画像のメタデータと一致するか否かを判断することができる。メタデータ処理部１５６は、メタデータが一致しない場合、対象となる動画データの記録中または再生中には静止画データが記録されていない判断し、判断結果を消去候補選別部１５７へ転送する。
【０１０４】
一方、メタデータ処理部１５６は、静止画データの消去候補を選別する場合、対象となる静止画データに記録されているメタデータが、動画データ読出部１５０によって読み出された動画データのフレーム画像に記録されたメタデータと一致するか否かを判断する。また、メタデータ処理部１５６は、順次動画データ読出部１５０に対して動画データの読み出しを指示する。これにより、メタデータ処理部１５６は、対象となる静止画のメタデータが、動画データ記憶部１２４に記録されているすべての動画データのフレーム画像に記録されたメタデータと一致するか否かを判断することができる。メタデータ処理部１５６は、メタデータが一致した場合、対象となる静止画データは、動画データの記録中または再生中に記録されていると判断し、判断結果を消去候補選別部１５７へ転送する。
【０１０５】
消去候補選別部１５７は、メタデータ処理部１５６から転送された判断結果に応じて、消去候補となる動画データおよび静止画データの読み出しを動画データ読出部１５０および静止画データ読出部１６６へ指示する。上述したように、メタデータ処理部は、消去候補となる動画データおよび静止画データに関する情報のみを消去候補選別部１５７へ転送する。したがって、消去候補選別部１５７は、メタデータ処理部１５６から転送される情報に基づいて、消去候補となる動画データおよび静止画データの読み出しを動画データ読出部１５０および静止画データ読出部１６６へ指示することができる。
【０１０６】
具体的には、動画データの消去候補をプレビューモード時にユーザに呈示する際には、消去候補選別部１５７は、メタデータ処理部１５６から転送された動画データに関する情報に基づいて、当該動画データの読み出しを動画データ読出部１５０へ指示する。この結果、上述した動画一覧生成部１６２などにより、消去候補の動画データのみで構成されるプレビューモード用の画面が生成され、表示部１２６および／または表示装置１３０に表示されることとなる。
【０１０７】
また、静止画データの消去候補をプレビューモード時にユーザに呈示する際には、消去候補選別部１５７は、メタデータ処理部１５６から転送された静止画データに関する情報に基づいて、当該静止画データの読み出しを静止画データ読出部１６６へ指示する。この結果、上述した静止画一覧生成部１７４などにより、消去候補の静止画データのみで構成されるプレビューモード用の画面が生成され、表示部１２６および／または表示装置１３０に表示されることとなる。
【０１０８】
以上の機能部により、本実施形態に係る撮像装置１００は、動画データおよび静止画データの消去候補を選別することができる。なお、上述したメタデータ読出部１７０、メタデータ処理部１５６および消去候補選別部１５７は、本発明における消去候補画像選別処理部として機能する。また、動画データおよび静止画データの消去候補の選別処理の流れについては後述する処理フローにおいて説明する。
【０１０９】
（データの消去処理に関する機能部）
動画データ消去部１８２は、動画データ選択部１６４からの指示に応じて、所定の動画データを動画データ記憶部１２４から消去する。上述したように、ユーザがプレビューモードなどにおいて、所定の動画データの消去を指示した場合、動画データ選択部１６４は、当該動画データに関する情報を動画データ消去部１８２へ転送する（図６および図７における（ｃ））。これに応じて、動画データ消去部１８２は、動画データ選択部１６４から転送された情報に基づいて、対象となる動画データを、動画データ記憶部１２４から消去することができる。
【０１１０】
静止画データ消去部１８４は、静止画データ選択部１７６からの指示に応じて、所定の静止画データを静止画データ記憶部１４２から消去する。上述したように、ユーザがプレビューモードなどにおいて、所定の静止画データの消去を指示した場合、静止画データ選択部１７６は、当該静止画データに関する情報を静止画データ消去部１８４へ転送する（図６および図７における（ａ））。これに応じて、静止画データ消去部１８４は、静止画データ選択部１７６から転送された情報に基づいて、対象となる静止画データを、静止画データ記憶部１４２から消去することができる。
【０１１１】
以上の機能部により、本実施形態に係る撮像装置１００は、所定の動画データおよび静止画データを動画データ記憶部１２４および静止画データ記憶部１４２から消去することができる。なお、動画データおよび静止画データの消去処理の流れについては後述する処理フローにおいて説明する。
【０１１２】
（表示処理に関する機能部）
セレクタ１６０は、現在の撮像装置１００のモードに適合する画像（動画データまたは静止画データ）を選択して、後述する画像データ信号処理部１７８へ転送する（図６および図７における（ｂ））。すなわち、セレクタ１６０は、動画データを再生するモードにおいては、第２動画データ一時格納部１５８に格納された動画データを選択して画像データ信号処理部１７８へ転送する。また、動画データの一覧を表示するモードにおいては、動画一覧生成部１６２によって生成されたプレビューモード用の画像を画像データ信号処理部１７８へ転送する。また、静止画データを再生するモードにおいては、静止画データ一時格納部１７２に格納された静止画データを選択して画像データ信号処理部１７８へ転送する。さらに、静止画データの一覧を表示するモードにおいては、静止画一覧生成部１７４によって生成されたプレビューモード用の画像を画像データ信号処理部１７８へ転送する。
【０１１３】
画像データ信号処理部１７８は、セレクタ１６０から転送された画像データに対して、解像度変換や補正処理などの各種映像信号処理を行い、画像データ一時格納部１８０へ転送する。なお、画像データ信号処理部１７８は、表示部１２６および表示装置１３０の仕様に応じて、複数の映像信号処理を行って複数の動画データを生成してもよい。例えば、画像データ信号処理部１７８は、撮像装置１００に備えられる表示部１２６がＶＧＡ（Ｖｉｄｅｏ  Ｇｒａｐｈｉｃｓ  Ａｒｒａｙ）パネルである場合には、６４０×４８０の解像度の画像データを生成する。また、画像データ信号処理部１７８は、ＨＤＴＶなどの表示装置１３０が撮像装置１００と外部接続されている場合には、１９２０×１０８０の解像度の画像データもあわせて生成する。
【０１１４】
画像データ一時格納部１８０は、半導体メモリなどで構成され、画像データ信号処理部１７８から転送される複数の画像データを一時的に記憶する。なお、画像データ一時格納部１８０は、画像データの転送先に応じて複数の格納部により構成されてもよい。このようにして画像データ一時格納部１８０に格納された画像データは、表示部１２６に表示されることとなる。この結果、ユーザは、表示部１２６で動画データや静止画データを視聴したり、表示部１２６に表示される動画データや静止画データの一覧から所定のデータを選択したりすることができる。
【０１１５】
画像データ外部出力部１８１は、例えば、ＨＤＭＩなどのインターフェイスを含み、テレビなどの表示装置１３０へ画像データを送信する。画像データ外部出力部１８１は、画像データ一時格納部１８０に格納されている画像データのうち、画像データ信号処理部１７８によって表示装置１３０が有するディスプレイの仕様などに応じて信号処理が施された画像データを表示装置１３０へ送信する。この結果、ユーザは、撮像装置１００と外部接続された表示装置１３０のディスプレイで動画データや静止画データを視聴したり、表示装置１３０のディスプレイに表示される動画データや静止画データの一覧から所定のデータを選択したりすることができる。
【０１１６】
以上の機能部により、本実施形態に係る撮像装置１００は、撮像装置１００が備える所定のモードに応じた画像を表示させることができる。なお、プレビューモードにおける表示部１２６または表示装置１３０の表示例については、後述する処理フローの説明において例示する。
【０１１７】
以上、本実施形態に係る撮像装置１００の消去候補画像選別処理に関する機能構成の詳細について図６および図７を参照に説明した。
【０１１８】
（５．撮像装置１００による消去候補画像選別処理の詳細）
次に、上述した機能構成を有する撮像装置１００において、プレビューモード時に行われる処理の流れについて以下説明する。具体的には、撮像装置１００による動画データおよび静止画データの再生処理、動画データおよび静止画データの一覧表示処理、動画データおよび静止画データの消去候補画像選別処理の流れについて説明する。
【０１１９】
（プレビューモード時における処理の全体の流れについて）
まず、プレビューモード時において、撮像装置１００によって行われる処理の全体的な流れについて説明する。図８は、プレビューモード時において、撮像装置１００によって行われる処理の全体の流れの一例を示すフロー図である。なお、図８は、例えば、ユーザがプレビューモードを選択した際に、入力部１２０からの指示に応じて、上述した各機能構成部により実行される処理である。
【０１２０】
図８に示すように、ステップ８００において、入力部１２０は、ユーザが動画のプレビューモードを選択したか、静止画のプレビューモードを選択したかを判断する。入力部１２０は、例えば、ユーザによるタッチパネルや操作ボタンなどの操作に応じて、ユーザがいずれのプレビューモードを選択したかを判断することができる。入力部１２０は、ユーザが動画のプレビューモードを選択したと判断した場合、動画一覧の表示処理に関する命令を入力データ格納部１２２へ転送する。一方、ユーザが静止画のプレビューモードを選択したと判断した場合、入力部１２０は、静止画一覧の表示処理に関する命令を入力データ格納部１２２へ転送する。なお、プレビューモード時においては、例えば、初期設定などにより、動画のプレビューモードまたは静止画のプレビューモードのいずれかが自動で選択されるようにしてもよい。
【０１２１】
ユーザが動画のプレビューモードを選択した場合、撮像装置１００は、ステップ８０２において、動画データの一覧表示処理を実行する。図２０は、動画のプレビューモードにおける表示部１２６または表示装置１３０の表示例を示す説明図である。ユーザは、図２０に示すようなプレビュー画面を参考にして、再生する動画データを選択したり、データ消去モードを選択したりすることができる。なお、動画データの一覧表示処理の流れの詳細については、図９を参照にして後述する。
【０１２２】
次に、ステップ８０４において、入力部１２０は、ユーザが動画消去モードを選択したか否かを判断する。ユーザは、例えば、図２０に示したプレビュー画面において動画消去モードを、タッチパネル、リモコン、操作ボタンなどを介して選択することができる。入力部１２０は、このようなユーザによる操作に応じて、ユーザが動画消去モードを選択したと判断した場合、動画消去モードへの移行に関する命令を入力データ格納部１２２へ転送する。
【０１２３】
これを受けて、撮像装置１００は、ステップ８０６において、動画データの消去処理を実行する。なお、動画データの消去処理の流れの詳細については、図１３を参照にして後述する。
【０１２４】
その後、ステップ８０８において、ユーザが動画消去モードの終了を指示したと判断されるまで、上記ステップ８０６の動画消去処理が継続的に実行される。
【０１２５】
一方、ステップ８０４によりユーザが動画消去モードを選択していないと判断した場合、入力部１２０は、ステップ８１０において、ユーザが動画再生を指示したか否かを判断する。入力部１２０は、ユーザが動画再生を指示したと判断した場合、当該動画データの再生に関する命令を入力データ格納部１２２へ転送する。
【０１２６】
これを受けて、撮像装置１００は、ステップ８１２において、動画データの再生処理を実行する。なお、動画データの再生処理の流れの詳細については、図１０を参照にして後述する。
【０１２７】
その後、ステップ８１４において、ユーザが動画再生モードの終了を指示したと判断されるまで、上記ステップ８１２の動画再生処理が継続的に実行される。
【０１２８】
ステップ８０８またはステップ８１４により、ユーザが動画消去モードまたは動画再生モードの終了を指示したと判断した場合、入力部１２０は、ステップ８１６において、ユーザがプレビューモードの終了を指示したか否かを判断する。ユーザがプレビューモードの終了を指示したと判断した場合、入力部１２０は、プレビューモード終了に関する命令を入力データ格納部１２２へ転送する。一方、プレビューモードが継続中の場合、上記ステップ８０２〜ステップ８１４の動画のプレビューモードに関する処理が継続的に実行される。
【０１２９】
ここで、例えば、動画のプレビューモード時において、ユーザが静止画のプレビューモードを選択した場合、ステップ８１８〜ステップ８３０による静止画のプレビューモードに関する処理が実行されることとなる。
【０１３０】
具体的には、ステップ８１８において、撮像装置１００は、図２０に示した動画データの一覧表示例と同様に、静止画データの一覧表示処理を実行する。これにより、ユーザは、静止画が一覧表示されたプレビュー画面を参考にして、表示する静止画データを選択したり、データ消去モードを選択したりすることができる。なお、静止画データの一覧表示処理の流れの詳細については、図１１を参照にして後述する。
【０１３１】
次に、ステップ８２０において、入力部１２０は、ユーザが静止画消去モードを選択したか否かを判断する。入力部１２０は、ユーザが静止画消去モードを選択したと判断した場合、静止画消去モードへの移行に関する命令を入力データ格納部１２２へ転送する。
【０１３２】
これを受けて、撮像装置１００は、ステップ８２２において、静止画データの消去処理を実行する。なお、静止画データの消去処理の流れの詳細については、図１４を参照にして後述する。
【０１３３】
その後、ステップ８２４において、ユーザが静止画消去モードの終了を指示したと判断されるまで、上記ステップ８２２の静止画消去処理が継続的に実行される。
【０１３４】
一方、ステップ８２０によりユーザが静止画消去モードを選択していないと判断した場合、入力部１２０は、ステップ８２６において、ユーザが所定の静止画の表示を指示したか否かを判断する。入力部１２０は、ユーザが所定の静止画の表示を指示したと判断した場合、当該静止画データの表示に関する命令を入力データ格納部１２２へ転送する。
【０１３５】
これを受けて、撮像装置１００は、ステップ８２８において、静止画データの表示処理を実行する。なお、静止画データの表示処理の流れの詳細については、図１２を参照にして後述する。
【０１３６】
その後、ステップ８３０において、ユーザが静止画表示モードの終了を指示したと判断されるまで、上記ステップ８２８の静止画表示処理が継続的に実行される。
【０１３７】
ステップ８２４またはステップ８３０により、ユーザが静止画消去モードまたは静止画表示モードの終了を指示したと判断した場合、入力部１２０は、ステップ８１６において、ユーザがプレビューモードの終了を指示したか否かを判断する。ユーザがプレビューモードの終了を指示したと判断した場合、入力部１２０は、プレビューモード終了に関する命令を入力データ格納部１２２へ転送する。一方、プレビューモードが継続中の場合、上記ステップ８１８〜ステップ８３０の静止画のプレビューモードに関する処理が継続的に実行される。
【０１３８】
以上の処理フローにより、プレビューモードにおいて、動画データの再生処理、静止画データの表示処理、動画データおよび静止画データの消去処理が実行されることとなる。これにより、ユーザは、プレビューモードにおいて、再生（表示）や消去を希望する任意の動画データまたは静止画データを選択することができる。以下、図８に示したステップ８０２の動画一覧表示処理、ステップ８１２の動画再生処理、ステップ８１８の静止画一覧表示処理、ステップ８２８の静止画表示処理、ステップ８０６の動画消去処理およびステップ８２２の静止画消去処理の詳細について説明する。
【０１３９】
（ステップ８０２による動画一覧表示処理の流れ）
まず、図８に示したステップ８０２により実行される動画データの一覧表示処理の流れの詳細について説明する。図９は、本実施形態に係る撮像装置１００において、図８に示したステップ８０２により実行される動画データの一覧表示処理の流れの一例を示すフロー図である。
【０１４０】
図９に示すように、ステップ９００において、動画データ読出部１５０は、動画データ記憶部１２４に記録されている所定の動画データを読み出す。動画データ読出部１５０により読み出された動画データは、動画データ分離部１５２によりメタデータや音声データなどが分離される。
【０１４１】
次に、ステップ９０２において、動画データデコード部１５４は、動画データを構成する所定のフレーム画像をサムネイル画像としてデコードし、デコードしたサムネイル画像を第２動画データ一時格納部１５８へ転送する。
【０１４２】
その後ステップ９０４において、動画データ記憶部１２４に記録されているすべての動画データに対応するサムネイル画像がデコードされたと判断されるまで、上記ステップ９００およびステップ９０２による処理が継続的に実行される。なお、動画データの一覧表示において表示部１２６に一度に表示する動画データの数が設定されている場合には、当該設定数のサムネイル画像がデコードされたと判断されるまで、上記ステップ９００およびステップ９０２による処理を継続的に実行してもよい。
【０１４３】
その後、ステップ９０６において、動画一覧生成部１６２は、第２動画データ一時格納部１５８に格納されている複数のサムネイル画像に基づいて、表示部１２６または／および表示装置１３０に表示させる一覧表示画像を生成する。
【０１４４】
次に、ステップ９０８において、セレクタ１６０、画像データ信号処理部１７８、画像データ一時格納部１８０を介して、動画一覧生成部１６２によって生成された動画データの一覧表示画像が表示部１２６に表示される。また、撮像装置１００に表示装置１３０が外部接続されている場合には、画像データ外部出力部１８１を介して、動画一覧生成部１６２によって生成された動画データの一覧表示画像が表示装置１３０にも表示される。これにより、表示部１２６や表示装置１３０には、図２０に示したような動画データの一覧が表示されることとなる。
【０１４５】
（ステップ８１２による動画再生処理の流れ）
次に、図８に示したステップ８１２により実行される動画データの再生処理の流れの詳細について説明する。図１０は、本実施形態に係る撮像装置１００において、図８に示したステップ８１２により実行される動画データの再生処理の流れの一例を示すフロー図である。
【０１４６】
図１０に示すように、ステップ１０００において、動画データ読出部１５０は、動画データ記憶部１２４に記録されている複数の動画データの中から、ユーザによって選択された動画データを読み出す。ユーザは、図２０に示した動画データの一覧表示画面に表示された複数の動画データの中から、タッチパネルや操作ボタンなどを介して、再生を希望する任意の動画データを選択することができる。ユーザによって所定の動画データが選択された場合、入力部１２０および入力データ格納部１２２を介して、当該動画データの再生に関する命令が動画データ読出部１５０に転送される。これを受けて、動画データ読出部１５０は、ユーザが選択した動画データを動画データ記憶部１２４から読み出すことができる。
【０１４７】
次に、ステップ１００２において、動画データ分離部１５２は、動画データ読出部１５０によって読み出された動画データからメタデータや音声データなどを分離する。
【０１４８】
次に、ステップ１００４において、動画データデコード部１５４は、動画データをデコードし、デコードした動画データを第２動画データ一時格納部１５８へ転送する。
【０１４９】
その後、ステップ１００６において、セレクタ１６０、画像データ信号処理部１７８、画像データ一時格納部１８０を介して、第２動画データ一時格納部１５８に格納されている動画データが表示部１２６で再生される。また、撮像装置１００に表示装置１３０が外部接続されている場合には、画像データ外部出力部１８１を介して、第２動画データ一時格納部１５８に格納されている動画データが表示部１２６でも再生される。これにより、表示部１２６や表示装置１３０には、図２１に示したような動画データの再生画面が表示されることとなる。なお、動画データの再生と同時に、動画データ分離部１５２によって分離された音声データも音声出力部（図示せず）などを介して出力されることとなる。
【０１５０】
（ステップ８１８による静止画一覧表示処理の流れ）
次に、図８に示したステップ８１８により実行される静止画データの一覧表示処理の流れの詳細について説明する。図１１は、本実施形態に係る撮像装置１００において、図８に示したステップ８１８により実行される静止画データの一覧表示処理の流れの一例を示すフロー図である。
【０１５１】
図１１に示すように、ステップ１１００において、静止画データ読出部１６６は、静止画データ記憶部１４２に記録されている所定の静止画データを読み出す。
【０１５２】
次に、ステップ１１０２において、静止画データデコード部１６８は、静止画データをサムネイル画像としてデコードし、デコードしたサムネイル画像を静止画データ一時格納部１７２へ転送する。なお、静止画データの画像フォーマットによっては、サムネイル画像がヘッダなどに記録されている場合もある。このような場合、静止画データデコード部１６８は、静止画データのヘッダに記録されているサムネイル画像のみをデコードしてもよい。
【０１５３】
その後ステップ１１０４において、静止画データ記憶部１４２に記録されている全ての静止画データに対応するサムネイル画像がデコードされたと判断されるまで、上記ステップ１１００およびステップ１１０２による処理が継続的に実行される。なお、静止画データの一覧表示において表示部１２６に一度に表示する静止画データの数が設定されている場合には、当該設定数のサムネイル画像がデコードされたと判断されるまで、上記ステップ１１００およびステップ１１０２による処理を継続的に実行してもよい。
【０１５４】
その後、ステップ１１０６において、静止画一覧生成部１７４は、静止画データ一時格納部１７２に格納されている複数のサムネイル画像に基づいて、表示部１２６または／および表示装置１３０に表示させる一覧表示画像を生成する。
【０１５５】
次に、ステップ１１０８において、セレクタ１６０、画像データ信号処理部１７８、画像データ一時格納部１８０を介して、静止画一覧生成部１７４によって生成された静止画データの一覧表示画像が表示部１２６に表示される。また、撮像装置１００に表示装置１３０が外部接続されている場合には、画像データ外部出力部１８１を介して、静止画一覧生成部１７４によって生成された静止画データの一覧表示画像が表示装置１３０にも表示される。これにより、表示部１２６や表示装置１３０には、図２０に示したような動画データの一覧と同様の静止画データの一覧が表示されることとなる。
【０１５６】
（ステップ８２８による静止画表示処理の流れ）
次に、図８に示したステップ８２８により実行される静止画データの表示処理の流れの詳細について説明する。図１２は、本実施形態に係る撮像装置１００において、図８に示したステップ８２８により実行される静止画データの表示処理の流れの一例を示すフロー図である。
【０１５７】
図１２に示すように、ステップ１２００において、静止画データ読出部１６６は、静止画データ記憶部１４２に記録されている複数の静止画データの中から、ユーザによって選択された静止画データを読み出す。ユーザは、図２０に示した動画データの一覧表示画面と同様の静止画データの一覧表示画面に表示された複数の静止画データの中から、タッチパネルや操作ボタンなどを介して、表示を希望する任意の静止画データを選択することができる。ユーザによって所定の静止画データが選択された場合、入力部１２０および入力データ格納部１２２を介して、当該静止画データの表示に関する命令が静止画データ読出部１６６に転送される。これを受けて、静止画データ読出部１６６は、ユーザが選択した静止画データを静止画データ記憶部１４２から読み出すことができる。
【０１５８】
次に、ステップ１２０２において、静止画データデコード部１６８は、ステップ１２００により読み出された静止画データをデコードし、デコードした静止画データを静止画データ一時格納部１７２へ転送する。
【０１５９】
その後、ステップ１２０４において、セレクタ１６０、画像データ信号処理部１７８、画像データ一時格納部１８０を介して、静止画データ一時格納部１７２に格納されている静止画データが表示部１２６に表示される。また、撮像装置１００に表示装置１３０が外部接続されている場合には、画像データ外部出力部１８１を介して、静止画データ一時格納部１７２に格納されている静止画データが表示装置１３０にも表示される。
【０１６０】
（ステップ８０６による動画消去処理の流れ）
次に、図８に示したステップ８０６により実行される動画データの消去処理の流れの詳細について説明する。図１３は、本実施形態に係る撮像装置１００において、図８に示したステップ８０６により実行される動画データの消去処理の流れの一例を示すフロー図である。なお、図１３に示す処理フローは、ユーザが動画のプレビューモードにおいて動画データの消去モードを選択した際に行われる処理である。すなわち、図２０に示した動画のプレビューモード画面の例において、ユーザが、タッチパネルや操作ボタンなどを介して動画データの消去モードを選択した場合に行われる処理である。
【０１６１】
なお、本実施形態に係る撮像装置１００は、動画データの消去処理に関して２つの消去モードを備えている。第１の動画消去モード（以下、通常消去モードという）においては、動画データ記憶部１２４に記録されているすべての動画データを一律に消去候補として画面表示し、ユーザはこれらの動画データの中から任意の動画データを選択して削除することができる。一方、第２の動画消去モード（以下、特殊消去モードという）においては、消去候補として選別された動画データのみを画面表示し、ユーザはこれらの選別された動画データの中から任意の動画データを選択して削除することができる。
【０１６２】
例えば、図２０に示した動画データのプレビューモード画面において、ユーザが動画データの消去モードを選択した場合、図２２に示すような通常消去モードの表示画面が表示部１２６または／および表示装置１３０に表示される。図２２に示すように、画面上には、図２０に示した動画データの一覧と同じ動画データの一覧が表示されている。すなわち、撮像装置１００は、動画データ記憶部１２４に記録されているすべての動画データを一律に消去候補として画面表示している。
【０１６３】
また、図２２に示すような通常消去モードの画面においては、特殊消去モードへの切替ボタンが表示されている。ユーザが特殊消去モードへの切り替えを選択した場合、図２３に示すような特殊消去モードの表示画面が表示部１２６または／および表示装置１３０に表示される。図２３に示すように、画面上には、消去候補として選別された動画データの一覧が表示されている。
【０１６４】
なお、以下の説明においては、ユーザによる選択に応じて通常消去モードおよび特殊消去モードが適宜切り替えられる例について説明するが、いずれかの消去モードが自動的に選択されるように設定することも当然に可能である。以下、通常消去モードおよび特殊消去モードにおける処理の流れの詳細について説明する。
【０１６５】
図１３に示すように、ステップ１３００において、入力部１２０は、ユーザが特殊消去モードを選択したか否かを判断する。ユーザが特殊消去モードを選択していないと判断された場合、撮像装置１００は、図２２に示した通常消去モードにおける表示画面を維持して、ユーザによる動画データの消去指示を待機する。
【０１６６】
すなわち、ステップ１３０２において、入力部１２０は、ユーザが所定の動画データの消去を指示したか否かを判断する。ユーザは、図２２に示した通常消去モードにおける表示画面に表示された複数の動画データの中から、タッチパネルや操作ボタンなどを介して、任意の動画データを選択して、当該動画データの消去を指示することができる。ユーザによって所定の動画データが選択された場合、入力部１２０を介して命令を受けた動画データ選択部１６４は、当該動画データの消去指示を動画データ消去部１８２へ転送する。
【０１６７】
その後、ステップ１３０４において、動画データ消去部１８２は、当該動画データを動画データ記憶部１２４から消去する。これにより、ユーザは、動画データ記憶部１２４に記録されている複数の動画データの中から、任意の動画データを選択して消去することができる。
【０１６８】
一方、ステップ１３００において、ユーザが特殊消去モードを選択したと判断された場合、撮像装置１００は、本実施形態の特徴の１つでもあるステップ１３０６以降の処理を実行することにより、ユーザにとって重要でないと考えられる動画データのみを選別する。以下、本実施形態の特徴の１つである、動画データの消去候補の選別処理の詳細の流れについて説明する。
【０１６９】
まず、ステップ１３０６において、静止画データ読出部１６６は、静止画データ記憶部１４２に記録されている複数の静止画データの中から、１の静止画データを読み出す。
【０１７０】
次に、ステップ１３０８において、メタデータ読出部１７０は、ステップ１３０６により読み出された静止画データからメタデータを読出し、少なくとも位置情報および日時情報を含むＧＰＳデータをメタデータから抽出する。メタデータ読出部１７０によって抽出されたＧＰＳデータは、メタデータ処理部１５６へ転送される。
【０１７１】
次に、ステップ１３１０において、メタデータ処理部１５６は、ステップ１３０８により転送されたＧＰＳデータに含まれる日時情報に基づいて、当該日時情報と近い日時情報が記録されている動画データの読み出しを動画データ読出部１５０に指示する。
【０１７２】
例えば、静止画データに含まれていた日時情報を「２００８年７月１７日１７：２６」であると仮定する。また、動画データ記憶部１２４に記録されている動画データ１、２および３に含まれている日時情報がそれぞれ、「２００７年１０月１５日１３：２１」、「２００８年７月１７日１６：００」、「２００８年７月１７日２０：００」であると仮定する。この場合、メタデータ処理部１５６は、動画データ読出部１５０に対して、動画データ２を動画データ記憶部１２４から読み出すように指示する。
【０１７３】
これを受けて、動画データ読出部１５０は、動画データ２を動画データ記憶部１２４から読み出して、動画データ分離部１５２へ転送する。その後、動画データ分離部１５２は、当該動画データからメタデータを分離して、少なくとも日時情報および位置情報を含むＧＰＳデータをメタデータ処理部１５６へ転送する。
【０１７４】
次に、ステップ１３１２において、メタデータ処理部１５６は、動画データ読出部１５０が読み出した動画データのいずれかのフレーム画像に、静止画データ読出部１６６が読み出した静止画データのＧＰＳデータが記録されているか否かを判断する。メタデータ処理部１５６は、メタデータ読出部１７０から転送された静止画データのＧＰＳデータと、動画データ分離部１５２から転送されたＧＰＳデータと、を比較することにより上記判断を行うことができる。
【０１７５】
動画データ読出部１５０が読み出した動画データのいずれのフレーム画像にも、静止画データ読出部１６６が読み出した静止画データのＧＰＳデータが記録されていない場合、当該動画データの記録中または再生中に静止画データが記録されていないことを意味する。この場合、撮像装置１００は、当該動画データはユーザにとってはそれほど重要でない動画データである可能性が高いと判断し、ステップ１３１４の処理を実行する。
【０１７６】
具体的には、ステップ１３１４において、メタデータ処理部１５６は、当該動画データに関する情報を消去候補選別部１５７へ転送する。これを受けて、消去候補選別部１５７は、当該動画データの情報を消去候補のデータベースなどに記録して管理する。
【０１７７】
一方、動画データ読出部１５０が読み出した動画データのいずれかのフレーム画像に、静止画データ読出部１６６が読み出した静止画データのＧＰＳデータが記録されている場合、当該動画データの記録中または再生中に静止画データが記録されたことを意味する。したがって、当該動画データは重要なシーンを記録していることが想定されるため、撮像装置１００は、当該動画データはユーザにとって重要な動画データであると判断し、消去候補として選別しない。
【０１７８】
その後、ステップ１３０６において再度別の静止画データが静止画データ記憶部１４２から読み出され、上記と同様のステップにより動画データの消去候補の選別処理が再度実行される。すなわち、ステップ１３１６において、静止画データ記憶部１４２に記録されているすべての静止画データに基づいて、動画データの消去候補の選別処理が行われたと判断されるまで、上記ステップ１３０６〜ステップ１３１４の処理が継続的に実行される。
【０１７９】
ステップ１３１６により、静止画データ記憶部１４２に記録されているすべての静止画データに基づいて、動画データの消去候補の選別処理が実行されたと判断された場合、撮像装置１００は、ステップ１３１８において、動画データの消去候補の一覧を表示する。
【０１８０】
具体的には、消去候補選別部１５７は、データベースなどに記録している動画データの消去候補に関する情報を、動画データ読出部１５０へ転送する。これを受けて、動画データ読出部１５０は、動画データ記憶部１２４に記録されている複数の動画データの中から、消去候補となる動画データのみを読み出して、動画データ分離部１５２へ転送する。その後、動画データ分離部１５２、動画データデコード部１５４などを介して第２動画データ一時格納部１５８に格納された動画データに基づいて、動画一覧生成部１６２は、サムネイル画像からなる動画データの消去候補の一覧表示画像を生成する。その後、セレクタ１６０、画像データ信号処理部１７８、画像データ一時格納部１８０を介して、動画データの消去候補の一覧が表示部１２６に表示される。また、撮像装置１００に表示装置１３０が外部接続されている場合には、画像データ外部出力部１８１を介して、動画データの消去候補の一覧が表示装置１３０にも表示される。
【０１８１】
図２３は、動画データの特殊消去モードにおいて表示部１２６または／および表示装置１３０に表示される消去候補の一覧の表示例を示す説明図である。図２３を参照すると、図２２の表示例において表示されていた動画データのうち、一部の動画データのみが表示されていることがわかる。すなわち、図２２の表示例において表示されていた６つの動画データＡ、Ｂ、Ｃ、ＤおよびＥのうち、動画データＡ、ＥおよびＦは、当該動画データの記録中または再生中に静止画データが記録されているため、消去候補としては選別されていない。一方、動画データＢ、ＣおよびＤは、当該動画データの記録中または再生中に静止画データが記録されていないため、ユーザにとって重要でない動画データである可能性が高いと判断されて、消去候補として選別されている。この結果、ユーザは、図２３に示す表示画面に基づいて、重要でない動画データの消去を効率よく撮像装置１００に指示することができる。
【０１８２】
（ステップ８２２による静止画消去処理の流れ）
次に、図８に示したステップ８２２により実行される静止画データの消去処理の流れの詳細について説明する。図１４は、本実施形態に係る撮像装置１００において、図８に示したステップ８２２により実行される静止画データの消去処理の流れの一例を示すフロー図である。なお、図１４に示す処理フローは、ユーザが静止画のプレビューモードにおいて静止画データの消去モードを選択した際に行われる処理である。すなわち、静止画データ消去モードにおいても、上述した動画データ消去モードと同様に、ユーザは、図２２に示した通常消去モードおよび図２３に示した特殊消去モードと同内容の消去モードを選択することができる。以下、通常消去モードおよび特殊消去モードにおける処理の流れの詳細について説明する。
【０１８３】
図１４に示すように、ステップ１４００において、入力部１２０は、ユーザが特殊消去モードを選択したか否かを判断する。ユーザが特殊消去モードを選択していないと判断された場合、撮像装置１００は、図２２と同内容の通常消去モードにおける表示画面を維持して、ユーザによる静止画データの消去指示を待機する。
【０１８４】
すなわち、ステップ１４０２において、入力部１２０は、ユーザが所定の静止画データの消去を指示したか否かを判断する。ユーザは、通常消去モードにおける表示画面に表示された複数の静止画データの中から、タッチパネルや操作ボタンなどを介して、任意の静止画データを選択して、当該静止画データの消去を指示することができる。ユーザによって所定の静止画データが選択された場合、入力部１２０を介して命令を受けた静止画データ選択部１７６は、当該静止画データの消去指示を静止画データ消去部１８４へ転送する。
【０１８５】
その後、ステップ１４０４において、静止画データ消去部１８４は、当該静止画データを静止画データ記憶部１４２から消去する。これにより、ユーザは、静止画データ記憶部１４２に記録されている複数の静止画データの中から、任意の静止画データを選択して消去することができる。
【０１８６】
一方、ステップ１４００において、ユーザが特殊消去モードを選択したと判断された場合、撮像装置１００は、本実施形態の特徴の１つでもあるステップ１４０６以降の処理を実行することにより、復元可能な静止画データのみを選別する。以下、本実施形態の特徴の１つである、静止画データの消去候補の選別処理の詳細の流れについて説明する。
【０１８７】
まず、ステップ１４０６において、静止画データ読出部１６６は、静止画データ記憶部１４２に記録されている複数の静止画データの中から、１の静止画データを読み出す。
【０１８８】
次に、ステップ１４０８において、メタデータ読出部１７０は、ステップ１４０６により読み出された静止画データからメタデータを読出し、少なくとも位置情報および日時情報を含むＧＰＳデータをメタデータから抽出する。メタデータ読出部１７０によって抽出されたＧＰＳデータは、メタデータ処理部１５６へ転送される。
【０１８９】
次に、ステップ１４１０において、メタデータ処理部１５６は、ステップ１４０８により転送されたＧＰＳデータに含まれる日時情報に基づいて、当該日時情報と近い日時情報が記録されている動画データの読み出しを動画データ読出部１５０に指示する。
【０１９０】
例えば、静止画データに含まれていた日時情報を「２００８年７月１７日１７：２６」であると仮定する。また、動画データ記憶部１２４に記録されている動画データ１、２および３に含まれている日時情報がそれぞれ、「２００７年１０月１５日１３：２１」、「２００８年７月１７日１６：００」、「２００８年７月１７日２０：００」であると仮定する。この場合、メタデータ処理部１５６は、動画データ読出部１５０に対して、動画データ２を動画データ記憶部１２４から読み出すように指示する。
【０１９１】
これを受けて、動画データ読出部１５０は、動画データ２を動画データ記憶部１２４から読み出して、動画データ分離部１５２へ転送する。その後、動画データ分離部１５２は、当該動画データからメタデータを分離して、少なくとも日時情報および位置情報を含むＧＰＳデータをメタデータ処理部１５６へ転送する。
【０１９２】
次に、ステップ１４１２において、メタデータ処理部１５６は、動画データ読出部１５０が読み出した動画データのいずれかのフレーム画像に、静止画データ読出部１６６が読み出した静止画データのＧＰＳデータが記録されているか否かを判断する。メタデータ処理部１５６は、メタデータ読出部１７０から転送された静止画データのＧＰＳデータと、動画データ分離部１５２から転送されたＧＰＳデータと、を比較することにより上記判断を行うことができる。
【０１９３】
動画データ読出部１５０が読み出した動画データのいずれかのフレーム画像に、静止画データ読出部１６６が読み出した静止画データのＧＰＳデータが記録されている場合、当該動画データの記録中または再生中に静止画データが記録されたことを意味する。この場合、撮像装置１００は、当該静止画データについては、一度消去されても、動画データに基づいて再度復元することが可能であると判断し、ステップ１４１４の処理を実行する。
【０１９４】
具体的には、ステップ１４１４において、メタデータ処理部１５６は、当該静止画データに関する情報を消去候補選別部１５７へ転送する。これを受けて、消去候補選別部１５７は、当該静止画データの情報を消去候補のデータベースなどに記録して管理する。
【０１９５】
一方、動画データ読出部１５０が読み出した動画データのいずれのフレーム画像にも、静止画データ読出部１６６が読み出した静止画データのＧＰＳデータが記録されていない場合、当該動画データの記録中等に静止画データが記録されていないことを意味する。したがって、撮像装置１００は、当該静止画データについては、一度消去してしまうとその後復元することができないと判断し、消去候補として選別しない。
【０１９６】
その後、ステップ１４０６において再度別の静止画データが静止画データ記憶部１４２から読み出され、上記と同様のステップにより静止画データの消去候補の選別処理が再度実行される。すなわち、ステップ１４１６において、静止画データ記憶部１４２に記録されているすべての静止画データに対して消去候補の選別処理が行われたと判断されるまで、上記ステップ１４０６〜ステップ１４１４の処理が継続的に実行される。
【０１９７】
ステップ１４１６により、静止画データ記憶部１４２に記録されているすべての静止画データに対して消去候補の選別処理が実行されたと判断された場合、撮像装置１００は、ステップ１４１８において、静止画データの消去候補の一覧を表示する。
【０１９８】
具体的には、消去候補選別部１５７は、データベースなどに記録している静止画データの消去候補に関する情報を、静止画データ読出部１６６へ転送する。これを受けて、静止画データ読出部１６６は、静止画データ記憶部１４２に記録されている複数の静止画データの中から、消去候補となる静止画データのみを読み出す。その後、静止画データデコード部１６８などを介して静止画データ一時格納部１７２に格納された静止画データに基づいて、静止画一覧生成部１７４は、静止画データの消去候補の一覧表示画像を生成する。その後、セレクタ１６０、画像データ信号処理部１７８、画像データ一時格納部１８０を介して、図２３に示した表示例と同様の静止画データの消去候補の一覧が表示部１２６に表示される。また、撮像装置１００に表示装置１３０が外部接続されている場合には、画像データ外部出力部１８１を介して、静止画データの消去候補の一覧が表示装置１３０にも表示される。この結果、ユーザは、表示部１２６または／および表示装置１３０に表示される消去候補一覧の表示画面に基づいて、静止画データの消去を効率よく撮像装置１００に指示することができる。
【０１９９】
以上、本実施形態に係る撮像装置１００による動画データおよび静止画データの消去候補の選別処理の詳細について説明した。上述したように、撮像装置１００は、複数の動画データの中から消去候補となる動画データのみを選別してユーザに呈示することができる。すなわち、撮像装置１００は、動画データの記録中または再生中に静止画データが記録されていない動画データは、ユーザにとって重要ではないと判断し、当該動画データを消去候補として選別することができる。また、撮像装置１００は、複数の静止画データの中から消去候補となる静止画データのみを選別してユーザに呈示することができる。すなわち、撮像装置１００は、動画データの記録中または再生中に静止画データが記録されている場合には、当該静止画データは一度消去しても、当該動画データに基づいて再度復元可能であると判断し、当該静止画データを消去候補として選別することができる。以上のように、撮像装置１００は、動画データと静止画データを関連付ける関連情報（本実施形態ではＧＰＳデータ）を利用することにより、消去候補となる動画データまたは静止画データを選別し、データ消去に関するユーザビリティを高めることが可能である。
【０２００】
（６．撮像装置１００の変形例）
上述した実施形態に係る撮像装置１００は、上記各機能構成部を変更したり、別の機能構成部を追加的に備えたりすることにより、上記特徴に加えてさらなる特徴を有することも可能である。以下、上記実施形態に係る撮像装置１００の特徴を備えた上で、さらにデータ消去に関するユーザビリティを高めることが可能な撮像装置１００の変形例について説明する。
【０２０１】
（６−１．変形例１（静止画復元処理機能の追加例））
撮像装置１００の変形例１は、上述した実施形態において消去した静止画データを動画データに基づいて復元することを可能とする。すなわち、上記実施形態に係る撮像装置１００は、動画データの記録中または再生中に記録された静止画データについては、一度消去しても当該動画データに基づいて再度復元できると判断し、当該静止画データを消去候補として選別する。このようにして選別された静止画データをユーザが消去した場合、変形例１の撮像装置１００は、当該静止画データを動画データに基づいて復元することができる。以下、このような特徴を有する変形例１の撮像装置１００の詳細について説明する。
【０２０２】
（変形例１の撮像装置１００の機能構成）
図１５および図１６は、変形例１の撮像装置１００の静止画データ復元処理に関する機能構成の一例を示す説明図である。なお、説明の便宜上図１５および図１６の２つの図面により機能構成が示されているが、図１５および図１６に示される機能構成部は同一の撮像装置１００に備えられるものである。また、図１５および図１６に示される各機能構成部間の信号の流れは、記号（ａ）、（ｂ）、（ｃ）、（ｄ）、（ｅ）、（ｆ）、（ｇ）、（ｈ）により表している。また、図１、図６および図７に示した機能構成部と同一の機能構成部には同一の符号を付しており、以下においては詳細の説明は省略する。
【０２０３】
図１５および図１６に示すように、変形例１の撮像装置１００は、上記実施形態における機能構成部に加えて、静止画データ復元判断部２５０と、消去履歴保存部２５２と、静止画データ復元処理部２５６と、をさらに含んで構成されている。以下、図１５および図１６に示した各機能構成部の詳細について説明する。
【０２０４】
消去履歴保存部２５２は、半導体メモリなどで構成され、静止画データ消去部１８４が消去した静止画データに関する消去画像情報を管理する。消去履歴保存部２５２は、例えば、静止画データ消去部１８４が消去した静止画データの位置情報および日時情報をデータベースなどに記録して管理しておくことができる。もちろん、消去履歴保存部２５２が管理することが可能な消去画像情報は、位置情報および日時情報に限定されるものではなく、消去した静止画データと、当該静止画データと同一のフレーム画像を含む動画データと、を関連付ける情報であればよい。したがって、消去履歴保存部２５２は、例えば、消去した静止画データと同一のフレーム画像が、動画データ記憶部１２４におけるどの動画データの何番目のフレーム画像であるかといった情報を消去画像情報として管理してもよい。
【０２０５】
静止画データ復元判断部２５０は、静止画データ消去部１８４によって一度消去された静止画データを復元する際に、当該静止画データと同一のフレーム画像が、動画データ記憶部１２４に記録されているいずれかの動画データに含まれているか否かを判断する。復元する静止画データと同一のフレーム画像が動画データに含まれていると判断された場合、静止画データ復元判断部２５０は、消去履歴保存部２５２を介して動画データ読出部１５０に対して、当該動画データの読み出しを指示する。一方、復元する静止画データと同一のフレーム画像が動画データに含まれていないと判断された場合、静止画データ復元判断部２５０は、消去履歴保存部２５２に記録されている当該静止画データに関する情報を消去する（図１５および図１６における（ｅ））。なお、静止画データ復元判断部２５０による判断処理の詳細については、図１６および図１７を参照に後述する。
【０２０６】
静止画データ復元処理部２５６は、一度消去された静止画データを復元する。静止画データ復元処理部２５６は主に、図１６に示すように、静止画データ取得部２５８と、静止画データ信号処理部２６０と、静止画データエンコード部２６２と、メタデータ埋込部２６４と、静止画データ記録部２６６と、を含んで構成される。
【０２０７】
静止画データ取得部２５８は、第２動画データ一時格納部１５８に格納されている動画データから、消去された静止画データと同一画像のフレーム画像を抜き出し、静止画データ信号処理部２６０へ転送する（図１５および図１６における（ｈ））。静止画データ取得部２５８は、静止画データ復元処理部２５６などからの指示に応じて、静止画データを動画データから抜き出し、静止画データ信号処理部２６０へ転送することができる。
【０２０８】
静止画データ信号処理部２６０は、静止画データ取得部２５８から転送される静止画データに対して、補正処理などの各種画像信号処理を行った後、当該静止画データを静止画データエンコード部２６２へ転送する。
【０２０９】
静止画データエンコード部２６２は、静止画データ信号処理部２６０から転送される静止画データを、例えば、ＪＰＥＧなどの静止画圧縮フォーマットにエンコードする。静止画データエンコード部２６２によりエンコードされた静止画データはその後、メタデータ埋込部２６４へ転送される。
【０２１０】
メタデータ埋込部２６４は、静止画データエンコード部２６２によりエンコードされた静止画データに対して、静止画データ復元判断部２５０から転送される位置情報および日時情報を含むメタデータ（図１５および図１６における（ｄ））を追記する。
【０２１１】
静止画データ記録部２６６は、メタデータ埋込部２６４によって位置情報および日時情報が追記された静止画データを、静止画データ記憶部１４２に記録する。
【０２１２】
（静止画データの復元処理の流れ）
次に、上記のように構成される変形例１の撮像装置１００において、一度消去された静止画データを復元する処理の流れの詳細について図１７および図１８を参照にして説明する。図１７は、静止画データの消去処理の流れの一例を示すフロー図であり、図１８は、一度消去された静止画データの復元処理の流れの一例を示すフロー図である。
【０２１３】
図１７と図１４のフロー図を比較すればわかるように、変形例１の撮像装置１００では、静止画データを消去した後に、ステップ１７００において、消去履歴保存部２５２は、静止画データ消去部１８４が消去した静止画に関する消去画像情報を保存する。上述したように、消去履歴保存部２５２に保存される消去画像情報としては、位置情報や日時情報などが想定されるが、当該静止画データと動画データを関連付けることが可能な情報であれば特定の情報に限定されるものではない。例えば、消去履歴保存部２５２は、消去された静止画データと関連付けられている動画データのフレーム画像に関する情報をデータベースとして管理してもよい。また、消去履歴保存部２５２は、消去された静止画データと関連付けられている動画データのフレーム画像にフラグ情報などを記録することにより、消去された静止画データに関する情報を消去画像情報として管理してもよい。
【０２１４】
このようにして、静止画データの消去時に保存された消去画像情報に基づいて、図１８に示す静止画データの復元処理が実行される。なお、図１８に示す静止画データの復元処理は、例えば、ユーザがタッチパネルや操作ボタンなどを操作することにより静止画データの復元処理を指示した場合に実行される処理である（図１５および図１６における（ｇ））。もちろん、図１８に示す静止画データの復元処理は、他のイベントをトリガーとして実行されてもよい。例えば、変形例１の撮像装置１００は、撮像装置１００がパーソナルコンピュータと接続された場合や、充電クレードルに載置された場合に、図１８に示す静止画データの復元処理を自動で実行してもよい。
【０２１５】
静止画データの復元処理については、図１８に示すように、ステップ１８００において、撮像装置１００は、静止画データ記憶部１４２に静止画データを復元するのに十分な空き容量が存在しているか否かを判断する。静止画データ記憶部１４２に十分な空き容量がない場合には静止画データを復元することができないため、静止画復元処理を終了する。
【０２１６】
一方、静止画データ記憶部１４２に十分な空き容量があると判断した場合、ＣＰＵ（図示せず）は、入力部１２０に対して静止画データの復元処理の開始を命令する。その後、入力データ格納部１２２を介して当該命令を受けた動画データ読出部１５０は、ステップ１８０２において、消去履歴保存部２５２から復元する静止画データに関する消去画像情報を取得する（図１５および図１６における（ｆ））。動画データ読出部１５０は、取得した消去画像情報に基づいて、消去された静止画データと関連付けられた動画データを動画データ記憶部１２４から読出して、動画データ分離部１５２へ転送する。
【０２１７】
その後、動画データ分離部１５２、動画データデコード部１５４などを介して当該動画データは、第２動画データ一時格納部１５８へ格納される。また、動画データ読出部１５０によって読み出された動画データに記録されている、少なくとも位置情報および日時情報を含むメタデータは、動画データ分離部１５２、メタデータ処理部１５６などを介して静止画データ復元判断部２５０へ転送される。
【０２１８】
次に、ステップ１８０４において、静止画データ復元判断部２５０は、動画データ読出部１５０によって読み出された動画データに、復元する静止画データと同一のフレーム画像が含まれているか否かを判断する。静止画データ復元判断部２５０は、メタデータ処理部１５６から転送されるメタデータと、消去履歴保存部２５２に保存されている消去画像情報と、を比較することにより、復元する静止画データと同一のフレーム画像が動画データに含まれているか否かを判断できる。
【０２１９】
復元する静止画データと同一のフレーム画像が動画データに含まれていない場合には、当該静止画データを復元することができない。したがって、静止画データ復元判断部２５０は、ステップ１８１２において、消去履歴保存部２５２に保存されている当該静止画データに関する消去画像情報を消去する。
【０２２０】
一方、ステップ１８０４により、復元する静止画データと同一のフレーム画像が動画データに含まれていると判断された場合、変形例１の撮像装置１００は、ステップ１８０６以下の処理により当該静止画データの復元処理を実行する。
【０２２１】
具体的には、ステップ１８０６において、静止画データ取得部２５８は、第２動画データ一時格納部１５８に格納されている動画データから対象となるフレーム画像を静止画データとして抜き出し、静止画データ信号処理部２６０へ転送する。その後、静止画データ信号処理部２６０は、静止画データ取得部２５８から転送された静止画データに対して、補正処理などの各種画像信号処理を行った後、当該静止画データを静止画データエンコード部２６２へ転送する。これを受けて、静止画データエンコード部２６２は、静止画データ信号処理部２６０から転送された静止画データを、例えば、ＪＰＥＧなどの静止画圧縮フォーマットにエンコードする。
【０２２２】
次に、ステップ１８０８において、メタデータ埋込部２６４は、エンコードされた静止画データに対して、静止画データ復元判断部２５０から転送される少なくともＧＰＳデータを含むメタデータを追記する。
【０２２３】
次に、ステップ１８１０において、静止画データ記録部２６６は、ステップ１８０８によりＧＰＳデータが追記された静止画データを、静止画データ記憶部１４２に記録する。
【０２２４】
その後、ステップ１８１４において、消去履歴保存部２５２に保存されているすべての消去画像情報に対応する静止画データに対して復元処理が実行されたと判断されるまで、上記ステップ１８００〜ステップ１８１０による復元処理が実行される。
【０２２５】
以上の処理により、変形例１の撮像装置１００は、ユーザが一度消去した静止画データを、当該静止画データと関連付けられた動画データに基づいて復元することができる。この結果、ユーザは、上述した処理により呈示された静止画データの消去候補を削除しても、その後で当該静止画データを復元することができるため、安心して静止画データの消去処理を行うことができる。すなわち、変形例１の撮像装置１００は、データ消去に関するユーザビリティをさらに高めることが可能である。
【０２２６】
（６−２．変形例２（別の静止画消去候補選別処理機能の追加例））
次に、静止画データの消去候補の選別処理の変形例について説明する。上述した実施形態に係る撮像装置１００は、特殊消去モードにおいては、動画データの記録中または再生中に記録された静止画データを、再度復元可能であることを理由に、消去候補として選別した。変形例２の撮像装置１００は、このような特殊消去モード（以下、第１特殊消去モードともいう）に加えて、第２特殊消去モードによる静止画データの消去候補の選別機能を備えることにより、データ消去に関するユーザビリティをさらに高めることが可能である。以下、このような特徴を有する変形例２の撮像装置１００の詳細について説明する。
【０２２７】
変形例２の撮像装置１００は、第２特殊消去モードにおいては、静止画データ記憶部１４２に記録されている複数の静止画データのうち、類似する位置情報および日時情報を含むメタデータが記録されている静止画データのみを消去候補として選別する。通常、所定時間内において、所定範囲内の場所で撮影された静止画データは類似する静止画データである可能性が高い。また、このような静止画データは、ユーザが保険として複数回撮影した場合や、ズーミング・フレーミングミスなどにより撮り直しをした場合などが想定される。そこで、変形例２の撮像装置１００は、このような静止画データを消去候補として選別してユーザに呈示することを特徴とする。以下、変形例２の撮像装置１００による第２特殊消去モードにおける静止画データの消去候補の選別処理の流れの詳細について説明する。
【０２２８】
図１９は、変形例２の撮像装置１００において、図８に示したステップ８２２により実行される静止画データの消去処理の流れの一例を示すフロー図である。なお、図１９に示す処理フローでは、図１４に示した処理フローと同様の処理については同一の番号を付し、以下の説明においては省略する。以下の説明では、ユーザにより第２特殊消去モードが選択された場合に実行されるステップ１８０２〜ステップ１８１８による処理について詳しく説明する。すなわち、図１９に示すステップ１９００において、ユーザが第１特殊消去モードを選択していないと判断した場合において実行される、第２特殊消去モードによる消去候補の選別処理について以下説明する。
【０２２９】
図１９に示すように、ステップ１９０２において、変形例２の撮像装置１００は、静止画データ記憶部１４２に記録されている複数の静止画データを、記録された日時順にソートする。ここで、撮像装置１００は、静止画データ記憶部１４２に記録されている複数の静止画データが記録された順番を、データベースなどによって管理しておいてもよい。いずれにしても、撮像装置１００は、静止画データ記憶部１４２から、記録された日時順に静止画データを順次読み出すことが可能な状態とする。
【０２３０】
次に、ステップ１９０４において、静止画データ読出部１６６は、静止画データ記憶部１４２に記録されている複数の静止画データのうち、最も古い日時に記録された静止画データを読み出す。
【０２３１】
次に、ステップ１９０６において、メタデータ読出部１７０は、ステップ１９０４により読み出された静止画データからメタデータを読出し、当該メタデータから少なくとも位置情報および日時情報を含むＧＰＳデータを取得する。このようにしてメタデータ読出部１７０が取得したＧＰＳデータは、メタデータ処理部１５６へ転送される。
【０２３２】
次に、ステップ１９０８において、静止画データ読出部１６６は、静止画データ記憶部１４２に記録されている複数の静止画データのうち、ステップ１９０４より読み出された静止画データの次に記録された静止画データを読み出す。
【０２３３】
次に、ステップ１９１０において、メタデータ読出部１７０は、ステップ１９０８により読み出された静止画データからメタデータを読出し、当該メタデータから少なくとも位置情報および日時情報を含むＧＰＳデータを取得する。このようにしてメタデータ読出部１７０が取得したＧＰＳデータは、メタデータ処理部１５６へ転送される。
【０２３４】
その後、ステップ１９１２において、メタデータ処理部１５６は、ステップ１９０６により転送されたＧＰＳデータと、ステップ１９１０により転送されたＧＰＳデータと、を比較し、両静止画データが所定範囲内の日時および位置で記録されたか否かを判断する。メタデータ処理部１５６は、例えば、２つの静止画データが、５秒以内に記録され、かつ５ｍ以内の位置で記録されている場合、両静止画データを消去候補として選別する。これにより、ユーザは、類似する静止画データのうち、希望する静止画データのみを消去して、静止画データ記憶部１４２の空き容量を増加させることができる。
【０２３５】
なお、メタデータ処理部１５６による判断に利用される位置情報および日時情報の範囲は、任意に設定・変更することができるものであり、上記例に限定されるものではない。２つの静止画データに記録されたＧＰＳデータが所定範囲内であると判断された場合、メタデータ処理部１５６は、当該静止画データに関する情報を消去候補選別部１５７へ転送する。これを受けて、消去候補選別部１５７は、ステップ１９１４において、当該静止画データの情報を消去候補のデータベースなどに記録して管理する。
【０２３６】
その後、ステップ１９０８において次に記録された静止画データが静止画データ記憶部１４２から読み出され、上記と同様のステップにより静止画データの消去候補の選別処理が再度実行される。すなわち、ステップ１９１６において、静止画データ記憶部１４２に記録されているすべての静止画データに対して消去候補の選別処理が行われたと判断されるまで、上記ステップ１９０８〜ステップ１９１４の処理が継続的に実行される。
【０２３７】
ステップ１９１６により、静止画データ記憶部１４２に記録されているすべての静止画データに対して消去候補の選別処理が実行されたと判断された場合、変形例２の撮像装置１００は、ステップ１９１８において、静止画データの消去候補の一覧を表示する。
【０２３８】
以上の結果、変形例２の撮像装置１００は、静止画データ記憶部１４２に記録されている複数の静止画データの中から、所定範囲内の位置および日時で記録された静止画データのみを消去候補として選別してユーザに呈示することができる。これによりユーザは、例えば、保険のために複数回撮影した静止画データや、撮影ミスなどにより複数回撮影した静止画データの中から、不要な静止画データのみを容易に消去することができる。すなわち、変形例２の撮像装置１００は、データ消去に関するユーザビリティをさらに高めることが可能である。
【０２３９】
なお、上記説明においては、第１特殊消去モードおよび第２特殊消去モードを別の消去モードとして、ユーザによる選択に応じていずれか一方の消去モードにより選別処理を実行する例について説明したが、本発明はこれに限定されるものではない。撮像装置１００は、例えば、特殊消去モードにおいて、上述した第１特殊消去モードによる選別処理を実行した上で、さらに第２特殊消去モードによる選別処理を実行してもよい。これにより、撮像装置１００は、復元可能な静止画のうち、ユーザにとってより重要でないと考えられる静止画データのみを選別して呈示することができ、データ消去に関するユーザビリティをさらに高めることも可能である。
【０２４０】
（７．撮像装置１００のハードウェア構成）
次に、上述した特徴を有する撮像装置１００のハードウェア構成の一例について、図２４を参照しながら説明する。図２４は、本発明の実施形態の１つに係る撮像装置１００のハードウェア構成の一例を示すブロック図である。
【０２４１】
撮像装置１００は主に、ＣＰＵ９０１と、ＲＯＭ９０３と、ＲＡＭ９０５と、ブリッジ９０９と、インターフェイス９１３と、入力装置９１５と、出力装置９１７と、ストレージ装置９１９と、ドライブ９２１と、接続ポート９２３と、を含んで構成される。
【０２４２】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、撮像装置１００内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０２４３】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０２４４】
撮像装置９１４は、光学系、撮像素子、Ａ／Ｄ（Ａｎａｌｏｇ  ｔｏ  Ｄｉｇｉｔａｌ）変換器、信号処理部などを含んで構成され、被写体を撮像して画像データを生成する。撮像装置９１４によって生成された動画データや静止画データは、出力装置９１７のディスプレイ装置に表示されたり、ストレージ装置９１９やリムーバル記録媒体９２７に格納されたりする。
【０２４５】
入力装置９１５は、例えば、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよい。
【０２４６】
出力装置９１７は、例えば、液晶ディスプレイ装置、プラズマディスプレイ装置、ＥＬディスプレイ装置などの表示装置や、スピーカおよびヘッドホンなどの音声出力装置など、各種情報をユーザに対して視覚的または聴覚的に通知することが可能な装置で構成される。なお、出力装置９１７は、上述した表示部１２６を構成するディスプレイとして機能する。
【０２４７】
ストレージ装置９１９は、撮像装置１００の記憶部の一例として構成されたデータ格納用の装置であり、例えば、ＨＤＤ等の磁気記憶部デバイス、半導体記憶デバイス、光記憶デバイス、または光磁気記憶デバイス等により構成される。このストレージ装置９１９は、ＣＰＵ９０１が実行するプログラムや各種データ、動画データおよび静止画データなどを格納する。なお、ストレージ装置９１９は、上述した動画データ記憶部１２４および静止画データ記憶部１４２として機能してもよい。
【０２４８】
ドライブ９２１は、記録媒体用リーダライタであり、撮像装置１００に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されているリムーバブル記録媒体９２７に動画データおよび静止画データなどを書き込むことも可能である。なお、リムーバブル記録媒体９２７は、上述した動画データ記憶部１２４および静止画データ記憶部１４２として機能してもよい。
【０２４９】
接続ポート９２３は、例えば、ＵＳＢポート、光オーディオ端子、ＨＤＭＩポート等の、外部接続機器９２９に直接接続するためのポートである。この接続ポート９２３に、上述した表示装置１３０を備える外部接続機器９２９を接続することで、撮像装置１００は、外部接続機器９２９に動画データおよび静止画データを転送することができる。
【０２５０】
以上、本発明の実施形態の１つに係る撮像装置１００の機能を実現可能なハードウェア構成の一例を示した。なお、上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０２５１】
（８．まとめ）
以上、本発明の実施形態の１つに係る撮像装置１００の詳細について説明した。上述したように、撮像装置１００は、静止画データおよび動画データを関連付ける関連情報として、動画データのフレーム画像および静止画データに対して、少なくとも位置情報および日時情報を含むＧＰＳデータを記録しておくことができる。撮像装置１００は、このような関連情報を利用することにより、撮像装置１００は、動画データの記録中または再生中に静止画データが記録されたか否かを判断することができる。これにより、撮像装置１００は、動画データの消去候補を選別する際には、動画データの記録中または再生中に静止画データが記録されていない動画データのみを消去候補として選別して、ユーザに呈示することができる。また、撮像装置１００は、静止画データの消去候補を選別する際には、動画データの記録中または再生中に記録された静止画データのみを消去候補として選別して、ユーザに呈示することができる。
【０２５２】
この結果、ユーザは、重要でない動画データのみを容易に選択して消去したり、後で復元可能な静止画データのみを容易に選択して一時的に消去したりすることができる。すなわち、本発明の実施形態に係る撮像装置１００は、データ消去に関するユーザビリティを高めることが可能である。
【０２５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０２５４】
例えば、上記実施形態では、画像処理装置の一例として撮像装置１００を例に説明したが、本発明はかかる例に限定されず、例えば、携帯電話、ＰＤＡ、携帯型ゲーム機器などであってもよい。また、本発明に係る画像処理装置は、静止画データおよび動画データを記憶することが可能な記憶領域を有していれば、必ずしも撮像機能を備えていなくてもよい。例えば、本発明に係る画像処理装置は、ＨＤＤレコーダ、ＤＶＤレコーダ、Ｂｌｕｅｒａｙ  Ｄｉｓｃ（登録商標）レコーダなどの再生装置やパーソナルコンピュータなどであってもよい。すなわち、本発明に係る画像処理装置は、データを記憶可能な記憶領域を備え、静止画データおよび動画データを関連付ける関連情報を管理し、該関連情報に基づいて消去候補となるデータを選別することができれば、その他いかなる機能を追加的に備えてもよい。
【０２５５】
また、上記実施形態では、動画データおよび静止画データに記録されるメタデータの一例として、位置情報および日時情報を含むＧＰＳ情報を例に説明したが、本発明はこれらに限定されるものではない。その他、動画データおよび静止画データに記録されるメタデータの例としては、例えば、方角、高度などが想定されるが、特定の情報に限定されるものではない。すなわち、動画データおよび静止画データを関連付ける関連情報であればどのようなメタデータが動画データおよび静止画データに記録されてもよく、撮像装置１００は、種々のメタデータに基づいて上記消去候補の選別処理を実行することができる。
【０２５６】
また、上記実施形態では、撮像装置１００は、動画データおよび静止画データを関連付ける関連情報として、位置情報および日時情報を含むメタデータを動画データおよび静止画データに記録した。また、撮像装置１００は、このようにして記録された動画データのメタデータと、静止画データのメタデータと、を比較することにより、消去候補となる動画データおよび静止画データの選別を行った。しかしながら、本発明に係る画像処理装置は、動画データと静止画データとを関連付ける関連情報を有していればよく、当該関連情報は、必ずしも動画データや静止画データに記録されている必要はない。例えば、本発明に係る画像処理装置は、静止画データと同一のフレーム画像を有する動画データに関する情報などを、関連情報としてデータベース化して管理してもよい。すなわち、静止画データと動画データとを関連付ける関連情報は、静止画データがいずれの動画データのいずれのフレーム画像に対応しているかを示す情報であれば、特定の記録方法、記録形式に限定されるものではない。
【０２５７】
また、上記実施形態における処理フローにおいては、説明の便宜上、データ記憶部に記録されたすべての画像データに対して消去候補画像の選別処理を行う例について説明したが、本発明はかかる例に限定されるものではない。すなわち、ユーザが特殊消去モードを選択するたびに上記消去候補画像選別処理を実行した場合、処理時間が長くなってしまいユーザビリティに欠けてしまうという問題が発生するおそれがある。そこで、本発明に係る画像処理装置は、例えば、一度消去候補として選別した画像データをデータベース化して管理したり、当該画像にフラグ情報を設定して管理したりしておくこともできる。これにより、本発明に係る画像処理装置は、当該データベースやフラグ情報などに基づいて迅速に消去候補画像選別処理を実行することができる。すなわち、本発明に係る画像処理装置は、一度消去候補画像選別処理を実行した画像データに対しては再度同じ処理を実行することなく消去候補画像として選別することもできる。これにより、本発明に係る画像処理装置は、消去候補画像選別処理に要する時間を短縮することができ、ユーザビリティをさらに高めることも可能である。
【０２５８】
また、図２０〜図２３に示した表示部１２６および表示装置１３０の表示画面は、上記実施携帯を説明する上での一例であり、本発明はこれらに限定されるものではない。すなわち、本発明に係る画像処理装置は、初期設定やユーザによる設定変更などにより任意に表示画面や表示方式などを変更することができる。例えば、一度に表示画面に表示させる消去候補となるデータの数や、通常消去モードおよび特殊消去モードの切替方法などは、特定の数や方法などに限定されるものではない。また、画像処理装置は、このような表示数や切替方法の変更に応じて、上述したフロー図による処理の流れを適宜変更・修正して実行することが当然に可能である。
【０２５９】
また、本明細書において、フロー図またはシーケンス図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【図面の簡単な説明】
【０２６０】
【図１】本発明の実施形態の１つに係る撮像装置１００の機能構成の一例を示すブロック図である。
【図２】同実施形態に係る撮像装置１００において、記録モード時における処理の流れの一例を示すフロー図である。
【図３】同実施形態に係る撮像装置１００において、撮像画像の表示処理の流れの一例を示すフロー図である。
【図４】同実施形態に係る撮像装置１００において、動画データの記録処理の流れの一例を示すフロー図である。
【図５】同実施形態に係る撮像装置１００において、静止画データの記録処理の流れの一例を示すフロー図である。
【図６】同実施形態に係る撮像装置１００の機能構成の一例を示すブロック図である。
【図７】同実施形態に係る撮像装置１００の機能構成の一例を示すブロック図である。
【図８】同実施形態に係る撮像装置１００において、プレビューモード時における処理の全体の流れの一例を示すフロー図である。
【図９】同実施形態に係る撮像装置１００において、動画データの一覧表示処理の流れの一例を示すフロー図である。
【図１０】同実施形態に係る撮像装置１００において、動画データの再生処理の流れの一例を示すフロー図である。
【図１１】同実施形態に係る撮像装置１００において、静止画データの一覧表示処理の流れの一例を示すフロー図である。
【図１２】同実施形態に係る撮像装置１００において、静止画データの再生処理の流れの一例を示すフロー図である。
【図１３】同実施形態に係る撮像装置１００において、動画データの消去処理の流れの一例を示すフロー図である。
【図１４】同実施形態に係る撮像装置１００において、静止画データの消去処理の流れの一例を示すフロー図である。
【図１５】同実施形態に係る撮像装置１００の変形例１の機能構成の一例を示すブロック図である。
【図１６】同実施形態に係る撮像装置１００の変形例１の機能構成の一例を示すブロック図である。
【図１７】同実施形態に係る撮像装置１００の変形例１において、静止画データの消去処理の流れの一例を示すフロー図である。
【図１８】同実施形態に係る撮像装置１００の変形例１において、静止画データの復元処理の流れの一例を示すフロー図である。
【図１９】同実施形態に係る撮像装置１００の変形例２において、静止画データの消去処理の流れの一例を示すフロー図である。
【図２０】同実施形態に係る撮像装置１００において、プレビューモード時における表示画面の一例を示す説明図である。
【図２１】同実施形態に係る撮像装置１００において、動画再生モードにおける表示画面の一例を示す説明図である。
【図２２】同実施形態に係る撮像装置１００において、動画通常消去モードにおける表示画面の一例を示す説明図である。
【図２３】同実施形態に係る撮像装置１００において、動画特殊消去モードにおける表示画面の一例を示す説明図である。
【図２４】本発明の実施形態の１つに係る撮像装置１００のハードウェア構成の一例を示すブロックである。
【符号の説明】
【０２６１】
１００    撮像装置
１０２    撮像部
１０４    撮像データ格納部
１０６    第１動画データ信号処理部
１０８    第１動画データ一時格納部
１１０    動画データエンコード部
１１２    ＧＰＳ情報取得部
１１４    ＧＰＳデータ格納部
１１６    動画データ多重化部
１１８    動画データ記録部
１２０    入力部
１２２    入力データ格納部
１２４    動画データ記憶部
１２６    表示部
１２８    動画データ外部出力部
１３０    表示装置
１３２、２５８    静止画データ取得部
１３４、２６０    静止画データ信号処理部
１３６、２６２    静止画データエンコード部
１３８、２６４    メタデータ埋込部
１４０、２６６    静止画データ記録部
１４２    静止画データ記憶部
１５０    動画データ読出部
１５２    動画データ分離部
１５４    動画データデコード部
１５６    メタデータ処理部
１５７    消去候補選別部
１５８    第２動画データ一時格納部
１６０    セレクタ
１６２    動画一覧生成部
１６４    動画データ選択部
１６６    静止画データ読出部
１６８    静止画データデコード部
１７０    メタデータ読出部
１７２    静止画データ一時格納部
１７４    静止画一覧生成部
１７６    静止画データ選択部
１７８    画像データ信号処理部
１８０    画像データ一時格納部
１８１    画像データ外部出力部
１８２    動画データ消去部
１８４    静止画データ消去部
２５０    静止画データ復元判断部
２５２    消去履歴保存部
２５６    静止画データ復元処理部
【図１】
2010124323.tif 000003
【図２】
2010124323.tif 000004
【図３】
2010124323.tif 000005
【図４】
2010124323.tif 000006
【図５】
2010124323.tif 000007
【図６】
2010124323.tif 000008
【図７】
2010124323.tif 000009
【図８】
2010124323.tif 000010
【図９】
2010124323.tif 000011
【図１０】
2010124323.tif 000012
【図１１】
2010124323.tif 000013
【図１２】
2010124323.tif 000014
【図１３】
2010124323.tif 000015
【図１４】
2010124323.tif 000016
【図１５】
2010124323.tif 000017
【図１６】
2010124323.tif 000018
【図１７】
2010124323.tif 000019
【図１８】
2010124323.tif 000020
【図１９】
2010124323.tif 000021
【図２０】
2010124323.tif 000022
【図２１】
2010124323.tif 000023
【図２２】
2010124323.tif 000024
【図２３】
2010124323.tif 000025
【図２４】
2010124323.tif 000026